(57)【要約】【課題】コンパクトでありながらも必要によって照明の光量を保つことができ、所望の装飾効果を発揮することができる遊技機を提供する。【解決手段】スロットマシンは、右導光板７２Ｒと左導光板と、これらの間に配置された遮光板７１と、を備える。右導光板７２Ｒには、後側に配置された右側ＬＥＤ７５Ｒ及び前側に配置された前側後向きＬＥＤから光が照射される。左導光板には、後側に配置された左側ＬＥＤ７５Ｌから光が照射される。照射された光により、右デザインシート及び左デザインシートの第１キャラクタ及び第２キャラクタが照らされる。【選択図】図１１
2018047174.tif 000002
【特許請求の範囲】
【請求項１】
遊技が可能な遊技機であって、
遊技機本体の側縁に沿って遊技者側に突出するように設けられ、両面に装飾が施された装飾パネルを備え、
前記装飾パネルは、
一面側と他面側との間における光の透過を抑制する遮光板と、
光を照射する照射手段と、
前記遮光板の一面側に配置され、前記照射手段から照射された光を導く第１導光板と、
前記遮光板の他面側に配置され、前記照射手段から照射された光を導く第２導光板と、
前記第１導光板によって導かれた光により照らされる第１装飾部と、
前記第２導光板によって導かれた光により照らされる第２装飾部と、を含み、
前記照射手段は、
前記第１導光板に光を照射する第１照射手段と、
前記第２導光板に光を照射する第２照射手段と、を有し
前記第１照射手段は、前記第１導光板の一辺側から光を照射し、
前記第２照射手段は、前記第２導光板の一辺側及び該一辺側と異なる他辺側から光を照射することを特徴とする遊技機。
【発明の詳細な説明】
【技術分野】
【０００１】
本発明は、パチンコ遊技機やスロットマシン等の遊技機に関する。
【背景技術】
【０００２】
パチンコ遊技機やスロットマシン等の遊技機として、従来、遊技者が遊技を行う際に演出を行って遊技者を楽しませたり、遊技客が遊技機を遊技するように遊技客の心理をかきたたせたりするために、タイトルやキャラクタが描かれた装飾物を備えているものがある。また、このような装飾物を備える遊技機として、従来、発光する装飾物を備える遊技機がある（例えば、特許文献１参照）。この遊技機は、遊技機の右側面を構成する右側面部１０８を備えている。この右側面部１０８は、発光する部材であり、右側面部１０８の内側（遊技者側）上方には、膨出形状のキャラクタレンズ１１２が設けられている。これらの右側面部１０８やキャラクタレンズ１１２が発光することなどにより、遊技者が遊技する遊技機における演出を盛り上げたり、遊技客に遊技機を遊ばせたりするようにアピールを行っている。
【先行技術文献】
【特許文献】
【０００３】
【特許文献１】特開２０１６−８７１５８号公報
【発明の概要】
【発明が解決しようとする課題】
【０００４】
上記特許文献１に開示された遊技機は、発光する右側面部１０８を備えている。このため、遊技者が遊技する遊技機における演出を盛り上げたり、遊技客に遊技機を遊ばせるようにアピールしたりすることができる。ところで、右側面部１０８のような装飾物が大掛かりになると、遊技機の遊技者が圧迫感を覚えるなどの不都合が生じ得る。このため、この種の装飾物は、コンパクトに形成されることが望ましくなる。ところが、装飾物をコンパクトに形成すると、照明の光量が少なくなる傾向にあり、装飾効果が低減する虞があった。
【０００５】
そこで、本発明の課題は、コンパクトにして遊技者への圧迫感を低減しつつ装飾効果を高めることができる遊技機を提供することである。
【課題を解決するための手段】
【０００６】
（１）本発明の遊技機は、遊技が可能な遊技機（例えば、スロットマシン１、パチンコ遊技機１００等）であって、
遊技機本体（例えば、筐体１ａ、前面枠１０１等）の側縁に沿って遊技者側に突出するように設けられ、両面に装飾が施された装飾パネル（例えば、筐体１ａから突出して設けられた装飾パネル７０等）を備え、
前記装飾パネルは、
一面側（例えば、右面側等）と他面側（例えば、左面側等）との間における光の透過を抑制する遮光板（例えば、遮光板７１の遮光板本体７１ａ等）と、
光を照射する照射手段（例えば、左側ＬＥＤ７５Ｌ、右側ＬＥＤ７５Ｒ、前側後向きＬＥＤ７６Ｂ等）と、
前記遮光板の一面側に配置され、前記照射手段から照射された光を導く第１導光板（例えば、左導光板７２Ｌ等）と、
前記遮光板の他面側に配置され、前記照射手段から照射された光を導く第２導光板（例えば、右導光板７２Ｒ等）と、
前記第１導光板によって導かれた光により照らされる第１装飾部（例えば、左デザインシート７１Ｌの第２キャラクタＣＨ２等）と、
前記第２導光板によって導かれた光により照らされる第２装飾部（例えば、右デザインシート７１Ｒの第１キャラクタＣＨ１等）と、を含み、
前記照射手段は、
前記第１導光板に光を照射する第１照射手段（例えば、左側ＬＥＤ７５Ｌ等）と、
前記第２導光板に光を照射する第２照射手段（例えば、右側ＬＥＤ７５Ｒ、前側後向きＬＥＤ７６Ｂ等）と、を有し、
前記第１照射手段は、前記第１導光板の一辺側（例えば、左導光板７２Ｌの後側等）から光を照射し、
前記第２照射手段は、前記第２導光板の一辺側（例えば、右導光板７２Ｒの後側等）及び該一辺側と異なる他辺側（例えば、右導光板７２Ｒの前側等）から光を照射することを特徴とする。
【０００７】
このような構成によれば、コンパクトにして遊技者への圧迫感を低減しつつ装飾効果を高めることができる。
【０００８】
（２）上記（１）に記載の遊技機において、前記第２導光板は、前記遊技機本体の外側（例えば、装飾パネル７０が筐体１ａまたは前面枠１０１の右側に設けられている場合の右側等）を向く面に配置されていてもよい。
【０００９】
このような構成によれば、周囲の遊技客へのアピールを増すことができるとともに、遊技者側を向く面の光量が多くなって遊技の妨げになることを抑制できる。
【００１０】
（３）上記（１）または（２）の遊技機において、前記第２導光板は、遊技者側を向く面（例えば、装飾パネル７０が筐体１ａまたは前面枠１０１の右側に設けられている場合の左側等）に配置されていてもよい。
【００１１】
このような構成によれば、周囲の遊技客へのアピールを増すことができるとともに、遊技機本体の外方向を向く面の光量が多くなって周囲の遊技者、例えば隣席の遊技者の遊技の妨げになることを抑制できる。
【００１２】
（４）上記（１）〜（３）のいずれかの遊技機において、前記第１導光板及び前記第２導光板の少なくとも一方には、前記第１照射手段から照射された光により強調される強調パターン（例えば、左導光板７２Ｌに設けられた左強調部７２ＬＰ等）が形成されていてもよい。
【００１３】
このような構成によれば、光量が少ない第１導光板及び第２導光板の少なくとも一方についての装飾効果を高めることができる。
【００１４】
（５）上記（１）〜（４）のいずれかの遊技機において、前記第２導光板の形状は、前記第２導光板の一辺側と前記第２導光板の他辺側とが対向する位置に配置される形状（例えば、後辺部と前辺部とが対向している略矩形状等）とされていてもよい。
【００１５】
このような構成によれば、第２導光板の発光態様にムラができにくくなり、装飾効果を高めることができる。
【００１６】
（６）上記（１）〜（５）のいずれかの遊技機において、前記第２照射手段は、前記第２導光板の一辺側及び前記他面側から、同種類の発光体（例えば、右側ＬＥＤ７５Ｒ、前側後向きＬＥＤ７６Ｂが同種類のＬＥＤ等）が発光した光を照射する構成とされていてもよい。
【００１７】
このような構成によれば、第２導光板の発光態様にムラができにくくなり、装飾効果を高めることができる。
【図面の簡単な説明】
【００１８】
【図１】本発明が適用された実施形態のスロットマシンの正面図である。
【図２】スロットマシンの斜視図である。
【図３】カバー部材及び装飾パネルの分解斜視図である。
【図４】遮光板を左側から見た斜視図である。
【図５】遮光板を右側から見た斜視図である。
【図６】左導光板及び左デザインシートの分解斜視図である。
【図７】右導光板及び右デザインシートの分解斜視図である。
【図８】左サイドカバー及び目隠部材の分解斜視図である。
【図９】右サイドカバーの斜視図である。
【図１０】カバー部材の装飾パネル取付部の斜視図である。
【図１１】装飾パネルを後面側から見た分解図である。
【図１２】（Ａ）は、装飾パネルを右後側から見た一部分解斜視図、（Ｂ）は、装飾パネルを右前側から見た一部分解斜視図である。
【図１３】装飾パネルの正断面図である。
【図１４】図１のＡ−Ａ線断面図である。
【図１５】（Ａ）は、右導光板と右デザインシートとの関係を示す分解斜視図、（Ｂ）は、左導光板と左デザインシートとの関係を示す分解斜視図である。
【図１６】装飾パネルの右側面図である。
【図１７】（Ａ）は、図１６のＸ部分の拡大図、（Ｂ）は、図１６のＹ部分の拡大図である。
【図１８】本発明が適用された実施形態のパチンコ機の正面図である。
【図１９】図１８のパチンコ機の斜視図である。
【発明を実施するための形態】
【００１９】
［第１実施形態］
本発明に係る遊技機の一例であるスロットマシンを実施するための形態を以下に説明する。なお、以下の実施形態において、前後左右については、遊技者側から見た方向を示す。例えば、「右側」、「左側」、「前（または表）側」、「後（または裏）側」は、いずれも遊技者側から見た方向をいう。また、各図面の寸法等については、実際の寸法等と異なることがある。
【００２０】
本実施形態のスロットマシン１は、図１に示すように、前面が開口する筐体１ａと、この筐体１ａの側端に回動自在に枢支された前面扉１ｂとから構成されている。前面扉１ｂは、筐体１ａに対して回動することによって、筐体１ａの開口された前面側を開閉することができる。
【００２１】
本実施例のスロットマシン１の筐体１ａの内部には、外周に複数種の図柄が配列されたリール２Ｌ、２Ｃ、２Ｒ（以下、左リール、中リール、右リール）が水平方向に並設されており、これらリール２Ｌ、２Ｃ、２Ｒに配列された図柄のうち連続する３つの図柄が前面扉１ｂに設けられた透視窓３から見えるように配置されている。
【００２２】
リール２Ｌ、２Ｃ、２Ｒの外周部には、互いに識別可能な複数種類の図柄が所定の順序で、それぞれ所定数、例えば２１個ずつ描かれている。リール２Ｌ、２Ｃ、２Ｒの外周部に描かれた図柄は、前面扉１ｂの略中央に設けられた透視窓３において各々上中下三段に表示される。
【００２３】
各リール２Ｌ、２Ｃ、２Ｒは、各々対応して設けられたリールモータによって回転されることで、各リール２Ｌ、２Ｃ、２Ｒの図柄が透視窓３に連続的に変化しつつ表示される一方で、各リール２Ｌ、２Ｃ、２Ｒの回転が停止されることで、透視窓３に３つの連続する図柄が表示結果として導出表示されるようになっている。
【００２４】
リール２Ｌ、２Ｃ、２Ｒの内側には、リール２Ｌ、２Ｃ、２Ｒそれぞれに対して、基準位置を検出するリールセンサと、リール２Ｌ、２Ｃ、２Ｒを背面から照射するリールＬＥＤと、が設けられている。また、リールＬＥＤは、リール２Ｌ、２Ｃ、２Ｒの連続する３つの図柄に対応する１２個のＬＥＤからなり、各図柄をそれぞれ独立して照射可能とされている。
【００２５】
前面扉１ｂの各リール２Ｌ、２Ｃ、２Ｒの上部には、液晶表示器５１が設けられており、液晶表示器５１における画像表示領域５１ａの前面には、カバー部材６１が設けられている。カバー部材６１は、透明の部材によって構成されており、カバー部材６１を介して遊技者側から後側を視認可能とされている。カバー部材６１は、図２に示すように、液晶透過部６１ａとリール透過部６１ｂとを備えており、液晶透過部６１ａの後側に図１に示す液晶表示器５１が配置され、リール透過部６１ｂの後側に各リール２Ｌ、２Ｃ、２Ｒが配置されている。カバー部材６１は、透光性（光透過性）を有しており、液晶透過部６１ａを介して遊技者側から視認できるようになっており、各リール２Ｌ、２Ｃ、２Ｒは、リール透過部６１ｂを介して遊技者側から視認できるようになっている。
【００２６】
また、液晶透過部６１ａは、リール透過部６１ｂよりも手前側に張り出している。カバー部材６１の上右側には、装飾パネル７０が取り付けられている。装飾パネル７０は、液晶表示器５１（図１参照）に隣接して配置されている。装飾パネル７０は、筐体１ａの側辺に沿って液晶表示器５１や筐体１ａの一部から遊技者側に突出するように設けられている。また、図２に示すように、装飾パネル７０の下方には、パネル引込部７０Ａ及び下サイドパネル７０Ｂが設けられている。下サイドパネル７０Ｂは、液晶表示器５１よりも突出するが、突出量は、装飾パネル７０よりも小さくなっている。パネル引込部７０Ａは、装飾パネル７０及び下サイドパネル７０Ｂよりも後方に引込んでいる。
【００２７】
図３は、カバー部材及び装飾パネルの分解斜視図、図４は、遮光板を左側から見た斜視図、図５は、遮光板を右側から見た斜視図、図６は、左導光板及び左デザインシートの分解斜視図、図７は、右導光板及び右デザインシートの分解斜視図、図８は、左サイドカバー及び目隠部材の分解斜視図、図９は、右サイドカバーの斜視図、図１０は、カバー部材の装飾パネル取付部の斜視図、図１１は、装飾パネルを後面側から見た分解図、図１２（Ａ）は、装飾パネルを右後側から見た一部分解斜視図、（Ｂ）は、装飾パネルを右前側から見た一部分解斜視図である。
【００２８】
図３に示すように、カバー部材６１は、液晶透過部６１ａ及びリール透過部６１ｂの右側に配置された装飾パネル取付部６１ｃを備えている。装飾パネル７０は、カバー部材６１における装飾パネル取付部６１ｃに取り付けられている。また、カバー部材６１において、液晶透過部６１ａ、リール透過部６１ｂ、及び装飾パネル取付部６１ｃは、一体成型されている。液晶表示器５１及び装飾パネル７０は、カバー部材６１によって被覆されている。
【００２９】
カバー部材６１の上方には、上カバー押え部材６２が設けられており、上カバー押え部材６２の前方には、上カバー押えフレーム６３が設けられている。また、カバー部材６１の左側方には、左カバー押えフレーム６４が設けられており、左カバー押えフレーム６４の上方に左上カバー押えフレーム６５が設けられている。上カバー押え部材６２の後側には、上後カバー押えフレーム６６が設けられている。カバー部材６１における液晶透過部６１ａとリール透過部６１ｂとの切り替わり部分の左側には、図２に示す左スピーカ（スピーカ）５３が設けられ、右側には右スピーカ（スピーカ）５４が設けられている。
【００３０】
装飾パネル７０は、後辺部と上辺部と前辺部と下辺部とを備える略矩形状をなしており、後辺部と前辺部、上辺部と下辺部がそれぞれ対向している。このうち、後辺部は、略鉛直に配置されている。上辺部は、水平よりも前方に行くにしたがってやや下降しており、前後方向途中位置で下降度合が変化する屈曲部が設けられている。前辺部は、鉛直よりも下降するにしたがってやや後退する形状を成している。下辺部は、水平よりも後方に行くにしたがってやや下降する形状をなしている。
【００３１】
装飾パネル７０は、遮光板７１を備えている。遮光板７１の左側には、左デザインシート７１Ｌが配置され、左デザインシート７１Ｌの左側（外側）には、左導光板７２Ｌが配置されている。左デザインシート７１Ｌは、遮光板７１と左導光板７２Ｌによって挟み込まれて保持されている。左デザインシート７１Ｌには、キャラクタが描かれている（図１２参照）。遮光板７１は、左側と右側との間における光の透過を抑制している。例えば、左導光板７２Ｌに導入された光が右側に透過することを抑制し、右導光板７２Ｒに導入された光が左側に透過することを抑制している。遮光板７１は、光の透過を抑制するものであるが、その不透過率は、１００％であってもよいし、９０％以上の不透過率であってもいし、５０％程度の不透過率であってもよい。
【００３２】
左導光板７２Ｌの左側には、左サイドカバー７３Ｌが配置されている。また、左サイドカバー７３Ｌの左側面には、目隠部材７４が取り付けられている。左サイドカバー７３Ｌの左側には、目隠部材７４を挟んでカバー部材６１の装飾パネル取付部６１ｃが取り付けられている。なお、左デザインシート７１Ｌ、左導光板７２Ｌ、左サイドカバー７３Ｌ、目隠部材７４、及びカバー部材６１の装飾パネル取付部６１ｃでは、左側が外側となり、右側が内側となる。
【００３３】
装飾パネル７０の左側では、左側から順に、左サイドカバー７３Ｌ、左導光板７２Ｌ、左デザインシート７１Ｌ、遮光板７１、右デザインシート７１Ｒ、右導光板７２Ｒ、右サイドカバー７３Ｒが積層されている。装飾パネル７０の左側から見ると、左サイドカバー７３Ｌの背面側に左導光板７２Ｌが配置され、左導光板７２Ｌの背面側に左デザインシート７１Ｌが配置され、左デザインシート７１Ｌの背面側に遮光板７１が配置されている。装飾パネル７０の右側から見ると、右サイドカバー７３Ｒの背面側に右デザインシート７１Ｒ右が配置され、右デザインシート７１Ｒの背面側に右導光板７２Ｒが配置され、右導光板７２Ｒの背面側に遮光板７１が配置されている。遮光板７１には、左導光板７２Ｌ及び右導光板７２Ｒが組み付けられている。遮光板７１と左導光板７２Ｌとの間に左デザインシート７１Ｌが挟み込まれている。右デザインシート７１Ｒは、右導光板７２Ｒに密着させられている。左デザインシート７１Ｌ及び右デザインシート７１Ｒには、装飾部として、それぞれ異なるキャラクタが描かれている（図１６参照）。
【００３４】
左導光板７２Ｌは、左サイドカバー７３Ｌによって遮光板７１に押さえつけられている。左導光板７２Ｌが押さえつけられることにより、左デザインシート７１Ｌが左導光板７２Ｌ及び遮光板７１によって保持されている。左サイドカバー７３Ｌの右面と左導光板７２Ｌの左面、左導光板７２Ｌの右面と左デザインシート７１Ｌの左面、左デザインシート７１Ｌの右面と遮光板７１の左面とは、それぞれ互いに密着している。
【００３５】
右導光板７２Ｒは、右サイドカバー７３Ｒによって遮光板７１に押さえつけられている。右導光板７２Ｒは、その上端部が右サイドカバー７３Ｒの上端部と遮光板７１の上端部との間に挟みこまれている。右デザインシート７１Ｒは、その上端部が右導光板７２Ｒの上端部と右サイドカバー７３Ｒの上端部との間に挟みこまれて右導光板７２Ｒ及び右サイドカバー７３Ｒによって保持されている。なお、右導光板７２Ｒ、右デザインシート７１Ｒ、及び右サイドカバー７３Ｒでは、右側が外側となり、左側が内側となる。
【００３６】
遮光板７１の後側には、後側基板７５が配設されており、遮光板７１の表側には前側基板７６が配設されている。また、遮光板７１の後側には、後支持部材７７が設けられており、遮光板７１の前側には、フロントカバー７８が設けられている。フロントカバー７８は、光不透過性の外殻部７８Ａと、ある程度の光を透過（半透過）させる装飾部７８Ｂとを備えている。フロントカバー７８の装飾部７８Ｂは、上下方向の３か所に離間して配置されて外殻部７８Ａに取り付けられている。装飾部７８Ｂは、前側基板７６の前側に配置されている。装飾部７８Ｂは、光が透過することにより、美麗に輝いて装飾される。
【００３７】
遮光板７１の上側には、アッパカバー７９が設けられている。フロントカバー７８とアッパカバー７９とは、カバー部材６１の装飾パネル取付部６１ｃと装飾パネル７０とを保持している。左導光板７２Ｌ及び右導光板７２Ｒは、左サイドカバー７３Ｌ及び右サイドカバー７３Ｒに挟み込まれる。左サイドカバー７３Ｌ及び右サイドカバー７３Ｒがそれぞれ遮光板７１に固定されることにより、左サイドカバー７３Ｌ、左導光板７２Ｌ、左デザインシート７１Ｌ、遮光板７１、右デザインシート７１Ｒ、右導光板７２Ｒ、及び右サイドカバー７３Ｒが一体化され、装飾ユニット７０Ｘとなる。この装飾ユニット７０Ｘには、後側から後支持部材７７、前側からフロントカバー７８、上側からアッパカバー７９が固定される。以下、各部材の詳細についてさらに説明する。
【００３８】
まず、図３〜図５等を参照して、遮光板７１について説明する。
遮光板７１は、光不透過性である白色の樹脂で構成されている。このため、遮光板７１は、光を反射する反射体となる。ただし、遮光板７１は、金属などの他の素材で構成されていてもよい。あるいは、光透過性または光半透過性の材料で構成されていてもよい。また、遮光板７１は白色以外の、有彩色や無彩色などで構成されていてもよいし、背景などの模様などが描かれていてもよい。
【００３９】
図４及び図５に示すように、遮光板７１は、遮光板本体７１ａを備えている。遮光板本体７１ａの右側面及び左側面は、同色であり、いずれも白色である。ただし、遮光板本体７１ａが白色以外の色で構成されていたり、光透過性または光半透過性であったり、模様等が描かれていたりしてもよい。また、遮光板本体７１ａに金属蒸着などを施して反射率を高くするようにしてもよい。また、遮光板本体７１ａの右側面と左側面との色や模様等が異なるようにしてもよい。
【００４０】
遮光板本体７１ａの後側には、遮光板本体７１ａの周縁に沿って左右方向に張り出す後外枠部７１ｂが設けられている。後外枠部７１ｂの左側には、複数の左後側光導入支持部７１Ｌｂが設けられており、後外枠部７１ｂの右側には、複数の右後側光導入支持部７１Ｒｂが設けられている。後外枠部７１ｂの高さは、遮光板本体７１ａの高さよりも長くされている。後外枠部７１ｂの上方には、上方ネジ穴筒部７１ｂ１が設けられており、後外枠部７１ｂの下方には、下方ネジ穴筒部７１ｂ２が設けられている。
【００４１】
遮光板本体７１ａの前側には、遮光板本体７１ａの周辺に沿って左右方向に張り出す前外枠部７１ｃが設けられている。前外枠部７１ｃは、複数、本実施形態では７個の投光部７１ｃｓが形成されている。複数の投光部７１ｃｓは、上下方向に沿って離間して配置されている。また、投光部７１ｃｓは、遮光板本体７１ａの右側に形成されており、遮光板本体７１ａの左側には形成されていない。
【００４２】
さらに、前外枠部７１ｃの左端辺には、上下方向に離間する３か所に、それぞれ第１位置決め切欠き部７１ｃａ１、第２位置決め切欠き部７１ｃａ２、及び第３位置決め切欠き部７１ｃａ３が設けられている。また、前外枠部７１ｃ右端辺には、前方に突出する右突出片７１ｃｂが設けられている。さらに、右突出片７１ｃｂの高さ方向略中央位置には、上側小切欠き部７１ｃｂ１が設けられ、右突出片７１ｃｂの下方には、下側小切欠き部７１ｃｂ２が設けられている。また、右突出片７１ｃｂの上方には、上側切欠き部７１ｃｂ３が設けられて、下方には、下側切欠き部７１ｃｂ４が設けられている。
【００４３】
投光部７１ｃｓは、前外枠部７１ｃから右突出片７１ｃｂにわたって設けられている。投光部７１ｃｓは、右突出片７１ｃｂの部位では、図５に示すように、台形状に切り取られる形で形成されている。このため、投光部７１ｃｓの内側（後側）から照射される光は、前側及び右側に広がる。
【００４４】
また、遮光板７１の前外枠部７１ｃには、図３に示す前側基板７６が取り付けられる。前外枠部７１ｃには、前側基板７６が取り付けられる。そのため、右突出片７１ｃｂの上方には、第１基板位置決め片７１ｃｋ１が設けられ、右突出片７１ｃｂの高さ方向略中央位置には、第２基板位置決め片７１ｃｋ２が設けられている。また、前外枠部７１ｃにおける左側の上方には、第１基板位置決め突起７１ｃｋ３が設けられ、前外枠部７１ｃにおける左側の下方には、第２基板位置決め突起７１ｃｋ４が設けられている。さらに、前外枠部７１ｃの右突出片７１ｃｂにおける高さ方向略中央位置には、第１爪部７１ｃｋ５が設けられており、第１爪部７１ｃｋ５の下方には第２爪部７１ｃｋ６が設けられている。さらに、前外枠部７１ｃの上部には、上部ネジ穴部材７１ｍが設けられている。
【００４５】
遮光板本体７１ａの左側面における後側には、左上ボス部７１ｄ１及び左下ボス部７１ｄ２が設けられている。左上ボス部７１ｄ１及び左下ボス部７１ｄ２は、それぞれ上下方向に沿って離間して配置されている。遮光板本体７１ａの右側面における上側には、右前ボス部７１ｅ１及び右後ボス部７１ｅ２が設けられている。右前ボス部７１ｅ１及び右後ボス部７１ｅ２は、前後方向に離間して配置されている。左上ボス部７１ｄ１、左下ボス部７１ｄ２、右前ボス部７１ｅ１、及び右後ボス部７１ｅ２は、いずれも略同形の円柱形状をなしている。
【００４６】
遮光板本体７１ａの左上側には、周縁部に沿って左上外枠部７１ｆＬが設けられ、遮光板本体７１ａの右上側には、周縁部に沿って右上外枠部７１ｆＲが設けられている。また、遮光板本体７１ａの左下側には、周縁部に沿って左下外枠部７１ｇＬが設けられ、遮光板本体７１ａの右下側には、周縁部に沿って右下外枠部７１ｇＲが設けられている。これらの左下外枠部７１ｇＬ及び右下外枠部７１ｇＲは、互いに面一とされている。
【００４７】
左上外枠部７１ｆＬは、遮光板本体７１ａに対して、およそ左導光板７２Ｌの厚さ程度の高さ分左側に突出している。左下外枠部７１ｇＬは、左上外枠部７１ｆＬよりも左側まで突出している。右上外枠部７１ｆＲにおける前側及び後側には、それぞれ上前切欠き部７１ｆＲ１及び上後切欠き部７１ｆＲ２が設けられている。上前切欠き部７１ｆＲ１及び上後切欠き部７１ｆＲ２の間は、中央突出部７１ｆＲ３とされている。また、左下外枠部７１ｇＬの前後方向略中央位置には、中央切欠き部７１ｇＬ１が設けられている。
【００４８】
遮光板本体７１ａの左側面における後側には、複数の位置決め突起７１ｈが設けられている。これらの複数の位置決め突起７１ｈは、上下方向に離間して配置されている。また、複数の位置決め突起７１ｈは、左上ボス部７１ｄ１及び左下ボス部７１ｄ２の間に配置されている。
【００４９】
遮光板７１の左下外枠部７１ｇＬ及び右下外枠部７１ｇＲの下側面には、断面略Ｌ字形状の配線ホルダ７１ｉと、板状の配線案内突起７１ｊとが設けられている。配線ホルダ７１ｉ及び配線案内突起７１ｊは、それぞれ複数設けられている。これらの配線ホルダ７１ｉ及び配線案内突起７１ｊとの間に配線が配置される。また、遮光板７１の左下外枠部７１ｇＬ及び右下外枠部７１ｇＲの下側面の後方部には、配線保護部７１ｋが設けられている。さらに、右下外枠部７１ｇＲの下側面の前方部には、右下ネジ穴部材７１ｎが設けられている。
【００５０】
次に、図６及び図７等を参照して、左デザインシート７１Ｌ、右デザインシート７１Ｒ、右導光板７２Ｒ、及び左導光板７２Ｌについて説明する。
図６に示すように、左デザインシート７１Ｌは、非常に薄いフィルム状のシートで形成された左デザインシート本体７１Ｌａを備えている。左デザインシート７１Ｌは、非透光性材料で構成されている。ただし、半透光性材料や透光性材料で構成されていてもよい。左デザインシート７１Ｌの後側には、複数の位置決め貫通孔７１Ｌａ１が設けられている。複数の位置決め貫通孔７１Ｌａ１は、遮光板７１における複数の位置決め突起７１ｈに対応する位置に設けられている。位置決め貫通孔７１Ｌａ１の上方及び下方には、貫通孔７１Ｌａ２が設けられている。貫通孔７１Ｌａ２は、遮光板７１における左上ボス部７１ｄ１及び左下ボス部７１ｄ２に対応する位置に設けられている。
【００５１】
図７に示すように、右デザインシート７１Ｒは、非常に薄いフィルム状のシートで形成された右デザインシート本体７１Ｒａを備えている。右デザインシート７１Ｒは、透光性材料で構成されている。ただし、半透光性材料で構成されていてもよい。また、右デザインシート７１Ｒが遮光板７１と右導光板７２Ｒとの間に配置される場合には、非透光性材料で構成されていてもよい。右デザインシート７１Ｒの上方の前側には、前側貫通孔７１Ｒａ１が設けられており、右デザインシート７１Ｒの上方の後側には、後側貫通孔７１Ｒａ２が設けられている。前側貫通孔７１Ｒａ１及び後側貫通孔７１Ｒａ２は、遮光板７１における右前ボス部７１ｅ１及び右後ボス部７１ｅ２に対応する位置にそれぞれ設けられている。
【００５２】
図６に示す左導光板７２Ｌは、後面から入った光を拡散させ、左側面に略均一に光を出すものであり、いわば薄く光るパネルである。左導光板７２Ｌの外側（右側）面には、光を均一に拡散させるための処理が施されている。光を均一に拡散させるための処理としては、ドットパターンであってもよいし、複数の溝であってもよい。ドットパターンは、例えばレーザ波やシルク印刷などで設けてもよい。また、溝はプロッターで切込を入れたり型材に原料を流し込む方式で成形したりしてもよい。また、これらの処理は、左導光板７２Ｌの内側（左側）面に施されていてもよいし、外側面と内側面の両方に施されていてもよい。
【００５３】
左導光板７２Ｌは、透光性の樹脂で構成されている。左導光板７２Ｌは、樹脂以外の素材であってもよく、透光性または半透光性を有する素材で構成されていてもよい。図６に示すように、左導光板７２Ｌは、左導光板本体７２Ｌａを備えている。左導光板本体７２Ｌａの後側には、複数の左光導入部７２Ｌｂが設けられている。本実施形態では、１６個の左光導入部７２Ｌｂが設けられている。
【００５４】
左導光板本体７２Ｌａの後側には、上下方向に離間して配置された上ボス穴７２Ｌｃ１及び下ボス穴７２Ｌｃ２が設けられている。これらの上ボス穴７２Ｌｃ１及び下ボス穴７２Ｌｃ２は、それぞれ遮光板本体７１ａに設けられた左上ボス部７１ｄ１及び左下ボス部７１ｄ２に対応する位置に配置されている。上ボス穴７２Ｌｃ１は、左上ボス部７１ｄ１の底面よりもわずかに大径の略円形をなしており、下ボス穴７２Ｌｃ２は、左下ボス部７１ｄ２の底面よりもわずかに大径の略円形をなしている。
【００５５】
左導光板７２Ｌの後側には、複数の位置決め穴７２Ｌｄが設けられている。複数の位置決め穴７２Ｌｄは、遮光板７１における複数の位置決め突起７１ｈに対応する位置に設けられている。また、複数の位置決め穴７２Ｌｄには、複数の位置決め突起７１ｈがそれぞれ挿入されている。位置決め突起７１ｈの高さは、位置決め穴７２Ｌｄの深さよりも短くされている。複数の位置決め穴７２Ｌｄは、いずれも略同一形状をなしており、位置決め突起７１ｈよりもわずかに大きい長円形を成している。複数の位置決め穴７２Ｌｄは、いずれも長円形の軸が上下方向を向くように配置されている。このため、左導光板７２Ｌを上下方向にスライドさせながら遮光板７１に組み付けられるようになっている。また、遮光板７１と左導光板７２Ｌとの上下方向の位置がわずかにずれた場合でも、遮光板７１に対して左導光板７２Ｌが組み付けられるようにされている。また、そのずれを吸収することができる。
【００５６】
遮光板７１における後外枠部７１ｂ、前外枠部７１ｃ、左上外枠部７１ｆＬ、及び左下外枠部７１ｇＬは、いずれも遮光板７１に組み付けられた左導光板７２Ｌよりも左側に張り出している。左導光板本体７２Ｌａは、後外枠部７１ｂ、前外枠部７１ｃ、左上外枠部７１ｆＬ、及び左下外枠部７１ｇＬに囲まれて遮光板７１に組み付けられている。遮光板本体７１ａの左側面に設けられた左上ボス部７１ｄ１及び左下ボス部７１ｄ２も、遮光板７１に組み付けられた左導光板７２Ｌよりも左側に張り出している。このため、左上ボス部７１ｄ１及び左下ボス部７１ｄ２は、遮光板本体７１ａに組み付けられた左導光板７２Ｌよりも左側に張り出すため、左上ボス部７１ｄ１及び左下ボス部７１ｄ２を用いた組み付け作業などを容易に行うことができる。
【００５７】
図７に示す右導光板７２Ｒは、後面または前面から入った光を拡散させ、右側面に略均一に光を出すものであり、いわば薄く光るパネルである。右導光板７２Ｒの左側（内側）面に、左導光板７２Ｌの内側に施される処理と同様の処理が施されている。なお、右導光板７２Ｒ及び左導光板７２Ｌの内側の処理は、共通であってもよいし、異なっていてもよい。また、これらの処理は、右導光板７２Ｒの外側（右側）面に施されていてもよいし、外側面と内側面の両方に施されていていもよい。
【００５８】
右導光板７２Ｒは、左導光板７２Ｌと同様、透光性の樹脂で構成されている。右導光板７２Ｒは、樹脂以外の素材であってもよく、透光性または半透光性を有する素材で構成されていてもよい。図７に示すように、右導光板７２Ｒは、右導光板本体７２Ｒａを備えている。右導光板本体７２Ｒａの後側には、複数の右光導入部７２Ｒｂが設けられている。本実施形態では、１６個の左光導入部７２Ｌｂが設けられている。このように、左導光板７２Ｌにおける左光導入部７２Ｌｂの数は、右導光板７２Ｒにおける右光導入部７２Ｒｂの数と同数である。ただし、左光導入部７２Ｌｂの数が右光導入部７２Ｒｂの数より多くてもよいし、右光導入部７２Ｒｂの数が左光導入部７２Ｌｂの数より多くてもよい。
【００５９】
右導光板本体７２Ｒａの上側には、前後方向に離間して配置された前貫通穴７２Ｒｃ１及び後貫通穴７２Ｒｃ２が設けられている。これら前貫通穴７２Ｒｃ１及び後貫通穴７２Ｒｃ２は、それぞれ遮光板本体７１ａに設けられた右前ボス部７１ｅ１及び右後ボス部７１ｅ２に対応する位置に配置されている。前貫通穴７２Ｒｃ１は、右前ボス部７１ｅ１の底面よりもわずかに大径の略円形をなしている。後貫通穴７２Ｒｃ２は、右後ボス部７１ｅ２の底面よりもわずかに大きい長円形をなしている。後貫通穴７２Ｒｃ２は、長円形の軸が前後方向を向くように配置されている。このため、遮光板７１に対する右導光板７２Ｒの前後方向のずれを吸収することができる。右導光板本体７２Ｒａは、遮光板本体７１ａの右側に設けられた右上外枠部７１ｆＲに組み付けられている。
【００６０】
右導光板本体７２Ｒａの前側には、複数、本実施形態では７個の右前光導入部７２Ｒｄが形成されている。右前光導入部７２Ｒｄは、左光導入部７２Ｌｂや右光導入部７２Ｒｂと略同一の形状をなしている。右前光導入部７２Ｒｄは、遮光板７１の前側に設けられた投光部７１ｃｓに対応する位置に配置されており、遮光板７１に右導光板７２Ｒが組み付けられた状態では、前側から見て投光部７１ｃｓから右前光導入部７２Ｒｄが覗ける位置に配置されている。右前光導入部７２Ｒｄの数は投光部７１ｃｓの数と同一である。
【００６１】
右導光板本体７２Ｒａの上辺の前側及び後側には、上方に突出する前側突出部７２Ｒｅ１及び後側突出部７２Ｒｅ２がそれぞれ設けられている。また、右デザインシート７１Ｒにおける上辺の前側及び後側にも、それぞれシート前側突出部７１Ｒｂ１及びシート後側突出部７１Ｒｂ２が設けられている。前側突出部７２Ｒｅ１及びシート前側突出部７１Ｒｂ１の幅は、右上外枠部７１ｆＲにおける前側に設けられた上前切欠き部７１ｆＲ１の幅と略同一とされている。また、後側突出部７２Ｒｅ２及びシート後側突出部７１Ｒｂ２の幅は、右上外枠部７１ｆＲにおける前側に設けられた上後切欠き部７１ｆＲ２の幅と略同一とされている。
【００６２】
遮光板７１における後外枠部７１ｂ、前外枠部７１ｃ、右上外枠部７１ｆＲ、及び右下外枠部７１ｇＲは、いずれも遮光板７１に組み付けられた右導光板７２Ｒよりも右側に張り出している。右導光板本体７２Ｒａは、後外枠部７１ｂ、前外枠部７１ｃ、右上外枠部７１ｆＲ、及び右下外枠部７１ｇＲに囲まれて遮光板７１に組み付けられている。遮光板本体７１ａの右側面に設けられた右前ボス部７１ｅ１及び右後ボス部７１ｅ２も、遮光板７１に組み付けられた右導光板７２Ｒよりも右側に張り出している。このため、右前ボス部７１ｅ１及び右後ボス部７１ｅ２は、遮光板本体７１ａに組み付けられた右導光板７２Ｒよりも右側に張り出すため、右前ボス部７１ｅ１及び右後ボス部７１ｅ２を用いた組み付け作業などを容易に行うことができる。
【００６３】
続いて、図８等を参照して、左サイドカバー７３Ｌについて説明する。
左サイドカバー７３Ｌは、透光性の樹脂で構成されている。左サイドカバー７３Ｌは、樹脂以外の素材であってもよく、透光性または半透光性を有する素材で構成されていてもよい。図８に示すように、左サイドカバー７３Ｌは、左サイドカバー本体７３Ｌａを備えている。左サイドカバー本体７３Ｌａの左側面における後側の上部には、上部貫通孔７３Ｌｂ１が設けられ、左サイドカバー本体７３Ｌａの左側面における後側の下部には、下部貫通孔７３Ｌｂ２が設けられている。上部貫通孔７３Ｌｂ１が設けられた位置は、左サイドカバー本体７３Ｌａの左側（外側）面よりも突出しており、その突出した部分には、突出した部分の表面が凹んだ状態の上部受溝が設けられ、下部貫通孔７３Ｌｂ２が設けられた位置の左側面には、上部受溝と同様の下部受溝が設けられている。
【００６４】
左サイドカバー７３Ｌの左側面における前後方向略中央の上部には、中上貫通孔７３Ｌｄ１が設けられ、中上貫通孔７３Ｌｄ１の下方には、中下貫通孔７３Ｌｄ２が設けられている。上部貫通孔７３Ｌｂ１が設けられた位置の右側（内側）面には、左サイドカバー本体７３Ｌａが凹んだ状態の上部逃溝が設けられ、下部貫通孔７３Ｌｂ２が設けられた位置の右側面には、上側逃溝と同様の下部逃溝が設けられている。
【００６５】
左サイドカバー７３Ｌの後部には、左カバー後フランジ７３Ｌｆが設けられている。また、左サイドカバー７３Ｌの上部及び下部には、それぞれ左カバー上フランジ７３Ｌｇ及び左カバー下フランジ７３Ｌｈが設けられている。左サイドカバー７３Ｌにおける前部には、前方に突出する前方突出片７３Ｌｉが設けられている。前方突出片７３Ｌｉの右側面には上下方向に沿って第１位置決め片７３Ｌｊ１、第２位置決め片７３Ｌｊ２、及び第３位置決め片７３Ｌｊ３が設けられている。また、前方突出片７３Ｌｉの高さ方向略中央位置及び当該位置と下端部との中間高さ位置には、それぞれ前方にわずかに突出する第１突起部７３Ｌｋ１及び第２突起部７３Ｌｋ２が設けられている。前方突出片７３Ｌｉの上部には、貫通孔７３Ｌｐが設けられている。左カバー後フランジ７３Ｌｆの後面には、第１ネジ溝部材７３Ｌｎ１、第２ネジ溝部材７３Ｌｎ２、及び第３ネジ溝部材７３Ｌｎ３が高さ方向に離間して設けられている。左カバー後フランジ７３Ｌｆの下部には、左側端部が切り欠かれた切欠き部７３Ｌｆ１が設けられている。
【００６６】
第１位置決め片７３Ｌｊ１、第２位置決め片７３Ｌｊ２、及び第３位置決め片７３Ｌｊ３のそれぞれの離間距離は、前外枠部７１ｃの右側に設けられた第１位置決め切欠き部７１ｃａ１、第２位置決め切欠き部７１ｃａ２、及び第３位置決め切欠き部７１ｃａ３のそれぞれの離間距離と略同一とされている。左サイドカバー７３Ｌが遮光板７１に組み付けられると、第１位置決め片７３Ｌｊ１、第２位置決め片７３Ｌｊ２、及び第３位置決め片７３Ｌｊ３が、それぞれ第１位置決め切欠き部７１ｃａ１、第２位置決め切欠き部７１ｃａ２、及び第３位置決め切欠き部７１ｃａ３に嵌め込まれる。こうして、左サイドカバー７３Ｌが遮光板７１に対して位置決めされる。
【００６７】
左カバー後フランジ７３Ｌｆ及び左カバー上フランジ７３Ｌｇは、それぞれ遮光板７１の左後側光導入支持部７１Ｌｂ及び左上外枠部７１ｆＬよりも左側まで突出している。左カバー下フランジ７３Ｌｈは、遮光板７１の左下外枠部７１ｇＬの左側縁とほぼ同じ程度の位置まで突出している。このため、左カバー下フランジ７３Ｌｈの下側は、遮光板７１の左下外枠部７１ｇＬにほぼ覆われている。
【００６８】
左カバー下フランジ７３Ｌｈの下方における前後方向略中央部には、下側に向けて突出する下向き突出片７３Ｌｍ（図３参照）が設けられている。下向き突出片７３Ｌｍの幅は、遮光板７１の左下外枠部７１ｇＬに設けられた中央切欠き部７１ｇＬ１の幅と略同一の長さとされている。
【００６９】
続いて、図９等を参照して、右サイドカバー７３Ｒについて説明する。
右サイドカバー７３Ｒは、透光性の樹脂で構成されている。右サイドカバー７３Ｒは、樹脂以外の素材であってもよく、透光性または半透光性を有する素材で構成されていてもよい。図９に示すように、右サイドカバー７３Ｒは、右サイドカバー本体７３Ｒａを備えている。右サイドカバー本体７３Ｒａの後方には、右サイド後部７３Ｒｂが設けられ、右サイドカバー本体７３Ｒａの上方には、右サイド上部７３Ｒｃが設けられている。また、右サイドカバー本体７３Ｒａの前方には、右サイド前部７３Ｒｄが設けられ、右サイドカバー本体７３Ｒａの下方には、右サイド下部７３Ｒｅが設けられている。
【００７０】
右サイドカバー本体７３Ｒａは、右サイド後部７３Ｒｂよりも右側に突出している。このため、右サイドカバー本体７３Ｒａと右サイド後部７３Ｒｂとの間には段差が形成されている。同様に、右サイドカバー本体７３Ｒａは、右サイド上部７３Ｒｃ、右サイド前部７３Ｒｄ、右サイド下部７３Ｒｅよりも右側に突出している。このため、右サイドカバー本体７３Ｒａと右サイド上部７３Ｒｃ、右サイド前部７３Ｒｄ、右サイド下部７３Ｒｅとの間にも、それぞれ段差が形成されている。
【００７１】
右サイド後部７３Ｒｂは、右サイドカバー本体７３Ｒａの後端部と略同じ高さを有する棒状の部分である。右サイド上部７３Ｒｃは、右サイドカバー本体７３Ｒａの上端辺に沿って設けられている。右サイド上部７３Ｒｃの右側前部には、前部貫通孔７３Ｒｃ１が設けられ、右側後部には、後部貫通孔７３Ｒｃ２が設けられている。前部貫通孔７３Ｒｃ１及び後部貫通孔７３Ｒｃ２の右側（外側）面には、それぞれ逃溝が設けられている。
【００７２】
また、右サイド上部７３Ｒｃの内側（左側）面には、右サイド上部７３Ｒｃの前端辺、上端辺、後端辺にそれぞれ沿った内側突出部７３Ｒｃ３が設けられている。内側突出部７３Ｒｃ３における上辺の前後方向略中央位置には、中央切欠き部７３Ｒｃ４が設けられている。また、中央切欠き部７３Ｒｃ４の前方には、前突出部７３Ｒｃ５が設けられ、中央切欠き部７３Ｒｃ４の後方には、後突出部７３Ｒｃ６が設けられている。中央切欠き部７３Ｒｃ４の幅は、遮光板７１における中央突出部７１ｆＲ３の幅と略同一とされている。また、前突出部７３Ｒｃ５の幅及び後突出部７３Ｒｃ６の幅は、それぞれ遮光板７１における上前切欠き部７１ｆＲ１及び上後切欠き部７１ｆＲ２の幅と略同一とされている。
【００７３】
右サイド前部７３Ｒｄは、右サイドカバー本体７３Ｒａの前端辺に対して段差を有して設けられている。同様に、右サイド下部７３Ｒｅは、右サイドカバー本体７３Ｒａの下端辺に対して段差を有して設けられている。また、右サイドカバー７３Ｒは、右サイド前部７３Ｒｄの先端辺（前端辺）から延在して設けられた前側被覆部７３Ｒｆ及び右サイド下部７３Ｒｅの先端辺から延在して設けられた下側被覆部７３Ｒｇを備えている。前側被覆部７３Ｒｆは、遮光板７１における前外枠部７１ｃの前方に前外枠部７１ｃとは離間して配置されている。下側被覆部７３Ｒｇは、遮光板７１における左下外枠部７１ｇＬ及び右下外枠部７１ｇＲの下方に左下外枠部７１ｇＬ及び右下外枠部７１ｇＲとは離間して配置されている。また、右サイド下部７３Ｒｅの前側には、右下ネジ孔７３Ｒｅ１が設けられている。
【００７４】
前側被覆部７３Ｒｆにおける内側（後側）面には、高さ方向に離間する複数、ここでは８個の窓部７３Ｒｆ１が設けられている。窓部７３Ｒｆ１は、いずれも略矩形状であり、略同一形状をなしている。窓部７３Ｒｆ１は、前側被覆部７３Ｒｆにおける窓部７３Ｒｆ１以外の部分よりも薄肉とされている。
【００７５】
前側被覆部７３Ｒｆの左端辺には、外側第１位置決め切欠き部７３Ｒｈ１、外側第２位置決め切欠き部７３Ｒｈ２、及び外側第３位置決め切欠き部７３Ｒｈ３が設けられている。外側第１位置決め切欠き部７３Ｒｈ１、外側第２位置決め切欠き部７３Ｒｈ２、及び外側第３位置決め切欠き部７３Ｒｈ３は、高さ方向に離間して設けられている。外側第１位置決め切欠き部７３Ｒｈ１、外側第２位置決め切欠き部７３Ｒｈ２、及び外側第３位置決め切欠き部７３Ｒｈ３のそれぞれの離間距離は、左サイドカバー７３Ｌに設けられた第１位置決め片７３Ｌｊ１、第２位置決め片７３Ｌｊ２、及び第３位置決め片７３Ｌｊ３のそれぞれの離間距離と略同一とされている。外側第１位置決め切欠き部７３Ｒｈ１、外側第２位置決め切欠き部７３Ｒｈ２、及び外側第３位置決め切欠き部７３Ｒｈ３に第１位置決め片７３Ｌｊ１、第２位置決め片７３Ｌｊ２、及び第３位置決め片７３Ｌｊ３が嵌め込まれることにより、左サイドカバー７３Ｌが右サイドカバー７３Ｒに対して位置決めされている。
【００７６】
前側被覆部７３Ｒｆの外側（前側）面の高さ方向略中央位置には、上側逃部７３Ｒｉ１が設けられており、上側逃部７３Ｒｉ１の下方には、下側逃部７３Ｒｉ２が設けられている。上側逃部７３Ｒｉ１及び上側逃部７３Ｒｉ１は、前方にシフトする形で逃げ部を形成している。上側逃部７３Ｒｉ１と下側逃部７３Ｒｉ２との離間距離は、遮光板７１における前外枠部７１ｃの第１爪部７１ｃｋ５及び第２爪部７１ｃｋ６との離間距離と略同一である。上側逃部７３Ｒｉ１と下側逃部７３Ｒｉ２が設けられていることにより、遮光板７１に右サイドカバー７３Ｒが組み付けられたときに、前外枠部７１ｃの第１爪部７１ｃｋ５及び第２爪部７１ｃｋ６の配置スペースが確保される。
【００７７】
また、前側被覆部７３Ｒｆの前側面の左端辺には、第１カバー位置決め部７３Ｒｋ１、第２カバー位置決め部７３Ｒｋ２、及び第３カバー位置決め部７３Ｒｋ３が高さ方向に離間して設けられている。第１カバー位置決め部７３Ｒｋ１、第２カバー位置決め部７３Ｒｋ２、及び第３カバー位置決め部７３Ｒｋ３には、それぞれ前後方向に沿ったスリットが設けられている。
【００７８】
前側被覆部７３Ｒｆの前側面の右端辺には、第１フロントカバー部材位置決め突起７３Ｒｊ１、第２フロントカバー部材位置決め突起７３Ｒｊ２、及び第３フロントカバー部材位置決め突起７３Ｒｊ３が高さ方向に離間して設けられている。第１フロントカバー部材位置決め突起７３Ｒｊ１、第２フロントカバー部材位置決め突起７３Ｒｊ２、及び第３フロントカバー部材位置決め突起７３Ｒｊ３は、いずれも表面が曲線状をなした突起である。第１カバー位置決め部７３Ｒｋ１、第２カバー位置決め部７３Ｒｋ２、及び第３カバー位置決め部７３Ｒｋ３と、第１フロントカバー部材位置決め突起７３Ｒｊ１、第２フロントカバー部材位置決め突起７３Ｒｊ２、及び第３フロントカバー部材位置決め突起７３Ｒｊ３とは、高さ方向に見て互いにずれた位置に配置されている。
【００７９】
下側被覆部７３Ｒｇ（図１６参照）は、板状の部材であり、後端部に後方切欠き部７３Ｒｇ１が設けられている。下側被覆部７３Ｒｇは、遮光板７１に右サイドカバー７３Ｒが組み付けられたときに、遮光板７１の左下外枠部７１ｇＬ及び右下外枠部７１ｇＲと略平行となるように配置されている。
【００８０】
また、右サイドカバー本体７３Ｒａの内側（左側）には、内側方向に突出する図示しない右サイド内枠が設けられている。右サイド内枠は、右サイドカバー本体７３Ｒａから突出した線状をなしており、右サイドカバー本体７３Ｒａの前後左右の四周を囲むようにして形成されている。
【００８１】
目隠部材７４は、例えば樹脂製であり、黒色をなしている。目隠部材７４は、カバー部材６１の装飾パネル取付部６１ｃに対して装飾パネル７０を組み付けた際、カバー部材６１における液晶透過部６１ａやリール透過部６１ｂ正面の位置、換言すると、遊技者が着座する位置から後側基板７５等が見えなくなるように目隠しとして設けられている。このため、目隠部材７４は、非透光性材料で構成されている。目隠部材７４の右側における左サイドカバー７３Ｌの中上貫通孔７３Ｌｄ１及び中下貫通孔７３Ｌｄ２の高さ位置に相当する高さ位置には、それぞれ図示しないネジ溝が設けられている。
【００８２】
また、目隠部材７４に装飾が施されており、装飾物としても用いられている。ただし、光透過性材料を用いてもよい。この場合、例えば後側基板７５に設けられたＬＥＤ等を視認可能であることを意図した装飾パネルとすればよい。また、目隠部材７４にＬＥＤ等の発光体を設け、あるいはこれらの発光体から発せられる光を出射できるようにして、目隠部材を装飾物として用いられるようにしてもよい。
【００８３】
次に、図１１等を参照して後側基板７５の構造について説明する。
図１１に示すように、後側基板７５は、基板本体７５Ａを備えている。後側基板７５は、図３に示す後支持部材７７に固定されている。基板本体７５Ａの左側には、左側ＬＥＤ７５Ｌが搭載され、基板本体７５Ａの右側には、右側ＬＥＤ７５Ｒが搭載されている。左側ＬＥＤ７５Ｌは、光を照射する照射手段であり、上下方向に離間して複数、ここでは１３個が並設されている。右側ＬＥＤ７５Ｒは、光を照射する照射手段であり、上下方向に離間して複数、ここでは１６個が並設されている。また、左側ＬＥＤ７５Ｌ及び右側ＬＥＤ７５Ｒは、いずれも単色のＬＥＤであるが、カラーＬＥＤ、特に赤、緑、青の光三原色を発するフルカラーＬＥＤであってもよい。また、単色ＬＥＤにおける色は、どのような色であってもよい。また、これらのＬＥＤが混在していてもよい。なお、左側ＬＥＤ７５Ｌ及び右側ＬＥＤ７５Ｒは、共通の基板本体７５Ａに搭載されているが、左側ＬＥＤ７５Ｌ及び右側ＬＥＤ７５Ｒがそれぞれ個別の基板本体に搭載されていてもよい。この場合、左側ＬＥＤ７５Ｌ及び右側ＬＥＤ７５Ｒがそれぞれ複数である場合も、左側ＬＥＤ７５Ｌ及び右側ＬＥＤ７５Ｒがそれぞれ基板本体に搭載されていてもよい。また、複数の左側ＬＥＤ７５Ｌが異なる基板に分かれて搭載されていてもよいし、複数の左側ＬＥＤ７５Ｌが異なる基板に分かれて搭載されていてもよい。
【００８４】
後側基板７５における左側ＬＥＤ７５Ｌ及び右側ＬＥＤ７５Ｒは、それぞれ高さ方向に沿って離間して配列されている。複数の左側ＬＥＤ７５Ｌと右側ＬＥＤ７５Ｒとは、千鳥配置されている。このため、左導光板７２Ｌの左光導入部７２Ｌｂ及び右導光板７２Ｒの右光導入部７２Ｒｂも千鳥配置されている。また、右側ＬＥＤ７５Ｒ及び左側ＬＥＤ７５Ｌは、いずれも演出制御基板に接続されており、演出制御基板によって点灯点滅の制御が実行される。また、スロットマシン１で実行される遊技の状態に応じて、左導光板７２Ｌの発光態様を変化させる制御が実行され、左側ＬＥＤ７５Ｌでは、スロットマシン１の遊技の進行に伴って実行される演出に応じた点灯点滅制御が実行される。一方、右側ＬＥＤ７５Ｒでは、スロットマシン１の遊技の進行とは関係なく、装飾パネル７０の右側を照らしている。ただし、右側ＬＥＤ７５Ｒと左側ＬＲＤ７５Ｌの一方または両方でスロットマシン１の遊技の進行に伴って実行される演出に応じた点灯点滅制御が実行され、その他では、装飾パネル７０を照らすものとされていてもよい。
【００８５】
装飾パネル７０が組み付けられた状態では、左側ＬＥＤ７５Ｌは、いずれも左導光板７２Ｌにおける左光導入部７２Ｌｂに向かい合う位置（対応する位置）に配置される。また、右側ＬＥＤ７５Ｒは、いずれも右導光板７２Ｒにおける右光導入部７２Ｒｂに向かい合う位置（対応する位置）に配置される。左光導入部７２Ｌｂ及び右光導入部７２Ｒｂは、いずれも１６個設けられているのに対して、左側ＬＥＤ７５Ｌは１３個、右側ＬＥＤ７５Ｒは１６個設けられている。このため、左光導入部７２Ｌｂに対して、左側ＬＥＤ７５Ｌが配置されない箇所が３か所あるが、右光導入部７２Ｒｂに対して、右側ＬＥＤ７５Ｒが配置されない箇所はない。ただし、左光導入部と左側ＬＥＤの数を同一として左光導入部における左側ＬＥＤが配置されない箇所をなくしてもよいし、右側ＬＥＤの数を右光導入部の数より少なくして、右光導入部における右側ＬＥＤが設けられない箇所があるようにしてもよい。また、左側ＬＥＤや右側ＬＥＤの数は、左光導入部や右光導入部の数以下とするのがよいが、左光導入部や右光導入部の数より多くしてもよい。左側ＬＥＤや右側ＬＥＤの数は、複数ではなく単数であってもよい。
【００８６】
左側ＬＥＤ７５Ｌから照射された光は、左導光板７２Ｌ内に導入される。左導光板７２Ｌは左側ＬＥＤ７５Ｌから照射された光を左側の面に導いている。同様に、右側ＬＥＤ７５Ｒから照射された光は、右導光板７２Ｒ内に導入される。右導光板７２Ｒは右側ＬＥＤ７５Ｒから照射された光を右側の面に導いている。
【００８７】
続いて、図１２等を参照して、前側基板７６の構造について説明する。
図１２（Ａ）（Ｂ）に示すように、前側基板７６は、前側基板本体７６Ａを備えている。前側基板本体７６Ａの右辺の上方には、第１基板側位置決め用切欠き部７６ｃｋ１が設けられ、前側基板本体７６Ａの右辺の高さ方向略中央位置には、第２基板側位置決め用切欠き部７６ｃｋ２が設けられている。また、前側基板本体７６Ａにおける左側の上方には、第１基板側位置決め孔７６ｃｋ３が設けられ、前側基板本体７６Ａにおける左側の下方には、第２基板位置決め孔７６ｃｋ４が設けられている。
【００８８】
また、前側基板７６の後面には、図１２（Ａ）に示すように、複数の前側後向きＬＥＤ７６Ｂが設けられている。複数の前側後向きＬＥＤ７６Ｂは、光を照射する照射手段であり、上下方向に沿って離間して配設されている。遮光板７１の前外枠部７１ｃに形成された投光部７１ｃｓは、前側後向きＬＥＤ７６Ｂに対応して形成されている。投光部７１ｃｓは、遮光板本体７１ａの右側に形成されているので、前側後向きＬＥＤ７６Ｂも遮光板本体７１ａの右側に配置されている。
【００８９】
前側後向きＬＥＤ７６Ｂは、後方に光を照射する。前側後向きＬＥＤ７６Ｂから照射された光は、投光部７１ｃｓを通過する。投光部７１ｃｓは、遮光板本体７１ａの右側に形成されているので、投光部７１ｃｓを通過した光は、右導光板７２Ｒ内に導入され、左導光板７２Ｌには導入されない。
【００９０】
図１２（Ｂ）に示すように、前側基板７６の前面には、複数、本実施形態では８個の前側前向きＬＥＤ７６Ｆが設けられている。複数の前側前向きＬＥＤ７６Ｆは、光を照射する照射手段であり、上下方向に沿って離間して配設されている。前側基板７６の前側には、フロントカバー７８の装飾部７８Ｂが配置されている。前側前向きＬＥＤ７６Ｆから照射された光は、装飾部７８Ｂを通して装飾パネル７０の外側に出射する。いずれも単色ＬＥＤである。このように、前側後向きＬＥＤ７６Ｂと前側前向きＬＥＤ７６Ｆと右側ＬＥＤ７５Ｒは、同種類のＬＥＤである。なお、前側後向きＬＥＤ７６Ｂ及び前側前向きＬＥＤ７６Ｆは、異種類のＬＥＤであってもよいし、フルカラーＬＥＤあるいはフルカラーＬＥＤ以外のカラーＬＥＤであってもよい。また、これらのＬＥＤが混在していてもよい。また、前側後向きＬＥＤ７６Ｂ及び前側前向きＬＥＤ７６Ｆについても、スロットマシン１の遊技の進行とは関係なく、装飾パネル７０の左側やフロントカバー７８の装飾部７８Ｂを照らしている。ただし、前側後向きＬＥＤ７６Ｂ及び前側前向きＬＥＤ７６Ｆにおいても、スロットマシン１の遊技の進行に伴って実行される演出に応じた点灯点滅制御が実行されていてもよい。
【００９１】
続いて、図１３等を参照して、後支持部材７７の構造について説明する。
後支持部材７７は、例えば樹脂製であり、黒色をなしている。後支持部材７７は、図１３に示すように、上下方向に伸びる細長い部材であり、その高さは、遮光板７１の後外枠部７１ｂの高さよりも高くされている。また、後支持部材７７の上端部は、遮光板７１の後外枠部７１ｂの上端部の高さ位置と略同じとされている。このため、後支持部材７７の下端部は、遮光板７１の後外枠部７１ｂよりも低い位置まで延在している。また、後支持部材７７の後面には、上方ネジ穴筒部７１ｂ１、下方ネジ穴筒部７１ｂ２、第１ネジ溝部材７３Ｌｎ１、第２ネジ溝部材７３Ｌｎ２、及び第３ネジ溝部材７３Ｌｎ３に対応する位置にそれぞれ開口が形成されている。また、後支持部材７７の下部には、配線用開口７７Ａが形成されている。
【００９２】
後支持部材７７は、前側が開口し、上下左右及び後側の面に囲まれた空間が形成された形状をなしている。後側基板７５は、後支持部材７７の後側の面に固定され、後支持部材７７における空間内に収容されている。また、後支持部材７７の空間内における右側には、上下方向に延在するスリット部７７Ｂ（図１４参照）が形成されている。
【００９３】
また、装飾パネル７０は、カバー部材６１の装飾パネル取付部６１ｃに取り付けられている。ここで、図１０等を参照してカバー部材６１の装飾パネル取付部６１ｃについて説明する。
カバー部材６１における装飾パネル取付部６１ｃは、図１０に示すように、取付部本体６１ｃａを備えている。取付部本体６１ｃａの上方には、取付上部片６１ｃｂが設けられ、前方には、取付前部片６１ｃｃが設けられ、下方には、取付下部片６１ｃｄが設けられている。これらの取付部本体６１ｃａ、取付上部片６１ｃｂ、取付前部片６１ｃｃの左側には、段差部６１ｃｐ（図１４参照）が形成されている。カバー部材６１における装飾パネル取付部６１ｃの下方には、装飾パネル下部取付部６１ｄが設けられている。
【００９４】
取付上部片６１ｃｂは、装飾パネル７０の上部辺に沿った板状の部材である。取付前部片６１ｃｃは、装飾パネル７０の前部辺に沿った板状の部材である。取付下部片６１ｃｄは、装飾パネル７０の下部辺に沿った板状の部材である。このうち、取付前部片６１ｃｃにおける高さ方向略中央位置及びやや下方位置には、前方に突出する第１突出部６１ｃｃ１及び第２突出部６１ｃｃ２が設けられている。また、取付前部片６１ｃｃの高さ方向の上からおよそ１／３の位置及びおよそ２／３の位置にそれぞれ後側が円形状の凹み、その分前側に突出する第１凹部６１ｃｃ３及び第２凹部６１ｃｃ４が設けられている。さらに、取付前部片６１ｃｃの右端辺には、上下方向に離間する位置に上切欠き部６１ｃｃ５、中切欠き部６１ｃｃ６、及び下切欠き部６１ｃｃ７が設けられている。さらに、取付前部片６１ｃｃの左側辺の近い位置には、上下方向に離間する上貫通孔６１ｃｃ８、中貫通孔６１ｃｃ９、及び下貫通孔６１ｃｃ１０が設けられている。また、取付前部片６１ｃｃの前面は、細かい波状に形成されている。
【００９５】
次に、図１３及び図１４等を参照して、遮光板７１、左デザインシート７１Ｌ、左導光板７２Ｌ、左サイドカバー７３Ｌ、目隠部材７４、カバー部材６１の装飾パネル取付部６１ｃ、右導光板７２Ｒ、右デザインシート７１Ｒ、及び右サイドカバー７３Ｒが組み付けられた状態の装飾パネルについて説明する。図１３は、装飾パネルの正断面図、図１４は、図１のＡ−Ａ線断面図である。
【００９６】
装飾パネル７０の左側では、図１３及び図１４に示すように、遮光板７１を中心として、遮光板７１の左側に左デザインシート７１Ｌ、左導光板７２Ｌ、左サイドカバー７３Ｌ、目隠部材７４、及びカバー部材６１の装飾パネル取付部６１ｃがこの順で組み付けられている。このうち、遮光板７１、左デザインシート７１Ｌ、左導光板７２Ｌ、及び左サイドカバー７３Ｌは、遮光板７１における左上ボス部７１ｄ１、左下ボス部７１ｄ２と、左サイドカバー７３Ｌにおける上部貫通孔７３Ｌｂ１、下部貫通孔７３Ｌｂ２に締め付けられる左側ネジによって固定されている。左側ネジの頭部は、上部貫通孔７３Ｌｂ１、下部貫通孔７３Ｌｂ２にそれぞれ設けられた上部受溝及び下部受溝に収容されている。左側ネジは、例えば金属製であるが、その頭部は、上部受溝及び下部受溝に収容されていることにより、側部が上部受溝及び下部受溝に囲まれた状態となっている。
【００９７】
これらの左側ネジは、左導光板７２Ｌにおける上ボス穴７２Ｌｃ１及び下ボス穴７２Ｌｃ２に形成された貫通孔を貫通している。さらに、これらの左側ネジは、左デザインシート７１Ｌの貫通孔７１Ｌａ２を貫通している。このため、左側ネジによって左サイドカバー７３Ｌ及び遮光板７１が締め付けられて固定されることにより、左サイドカバー７３Ｌと遮光板７１の間における左導光板７２Ｌと左デザインシート７１Ｌは、左サイドカバー７３Ｌと遮光板７１に挟み込まれて固定される。
【００９８】
また、遮光板７１の左側面に設けられた位置決め突起７１ｈは、左デザインシート７１Ｌに設けられた位置決め貫通孔７１Ｌａ１を貫通し、左導光板７２Ｌに設けられた位置決め穴７２Ｌｄに挿入されている。このため、左デザインシート７１Ｌ及び左導光板７２Ｌは、遮光板７１に対して正確に位置決めされている。また、位置決め突起７１ｈの高さは、位置決め穴７２Ｌｄの深さより短くされている。このため、位置決め突起７１ｈが左サイドカバー７３Ｌの右側面に当接しないようにされている。したがって、位置決め突起７１ｈが左サイドカバー７３Ｌに当接することによる損傷や組付け性の低下などを抑制することができる。
【００９９】
遮光板７１における後外枠部７１ｂの左側、前外枠部７１ｃの左側、左上外枠部７１ｆＬ、及び左下外枠部７１ｇＬは、いずれも遮光板本体７１ａの左側面から左側に突出している。また、左導光板７２Ｌの厚さは、後外枠部７１ｂの左側、前外枠部７１ｃの左側、左上外枠部７１ｆＬ、及び左下外枠部７１ｇＬにおける遮光板本体７１ａの左側面からの突出長さよりも短くされている。このため、左導光板７２Ｌの側面は、後外枠部７１ｂの左側、前外枠部７１ｃの左側、左上外枠部７１ｆＬ、及び左下外枠部７１ｇＬに囲まれた状態となっている。
【０１００】
左サイドカバー７３Ｌにおける下部に設けられた下向き突出片７３Ｌｍ（図３参照）は、遮光板７１の左下外枠部７１ｇＬに設けられた中央切欠き部７１ｇＬ１に挿入されている。左サイドカバー７３Ｌは、遮光板７１に左デザインシート７１Ｌ及び左導光板７２Ｌを嵌め込んだ後、左導光板７２Ｌの左側面に左サイドカバー７３Ｌの右側面を沿わせて上方からスライド移動させられて、下向き突出片７３Ｌｍが中央切欠き部７１ｇＬ１に挿入されることにより、遮光板７１に組み付けられる。こうして、遮光板７１に左デザインシート７１Ｌ、左導光板７２Ｌ及び左サイドカバー７３Ｌが組み付けられた後、左側ネジによってこれらが締め付けられて固定される。
【０１０１】
目隠部材７４は、左サイドカバー７３Ｌに設けられた中上貫通孔７３Ｌｄ１及び中下貫通孔７３Ｌｄ２を貫通する図示しないネジによって左サイドカバー７３Ｌに固定されている。このネジは、左サイドカバー７３Ｌの右側面から中上貫通孔７３Ｌｄ１及び中下貫通孔７３Ｌｄ２にそれぞれ挿入され、目隠部材７４に設けられたネジ溝にねじ込まれている。目隠部材７４の左サイドカバー７３Ｌに対する取付は、左サイドカバー７３Ｌ、左導光板７２Ｌ、左デザインシート７１Ｌ、及び遮光板７１の組み付けが行われる前に行われている。このため、左サイドカバー７３Ｌの右側からのネジの挿入を容易に行うことができ、左サイドカバー７３Ｌに対する目隠部材７４の取付作業を容易に行うことができる。
【０１０２】
カバー部材６１の装飾パネル取付部６１ｃは、左サイドカバー７３Ｌの左サイドカバー本体７３Ｌａからは離間して配置されている。また、装飾パネル取付部６１ｃは、目隠部材７４とも離反している。装飾パネル取付部６１ｃは、装飾パネル７０の前部において左サイドカバー７３Ｌに取り付けられる。
【０１０３】
装飾パネルの右側では、図１３及び図１４に示すように、遮光板７１を中心として、遮光板７１の右側に右導光板７２Ｒ、右デザインシート７１Ｒ、及び右サイドカバー７３Ｒがこの順で組み付けられている。これらの遮光板７１、右導光板７２Ｒ、右デザインシート７１Ｒ、及び右サイドカバー７３Ｒの上側は、遮光板７１における右前ボス部７１ｅ１、右後ボス部７１ｅ２と、右サイドカバー７３Ｒにおける前部貫通孔７３Ｒｃ１、後部貫通孔７３Ｒｃ２に締め付けられる右側ネジによって固定されている。また、遮光板７１及び右サイドカバー７３Ｒの下側は、遮光板７１の右下ネジ穴部材７１ｎ及び右サイドカバー７３Ｒの右下ネジ孔７３Ｒｅ１締め付けられる右側ネジによって固定されている。右側ネジの頭部は、前部貫通孔７３Ｒｃ１、後部貫通孔７３Ｒｃ２の右面側にそれぞれ設けられた受溝に収容されている。右側ネジは、左側ネジと同様、例えば金属製であるが、その頭部は、上部に収容されていることにより、側部が受溝に囲まれた状態となっている。
【０１０４】
これらの右側ネジは、右デザインシート７１Ｒの前側貫通孔７１Ｒａ１及び後側貫通孔７１Ｒａ２を貫通している。さらに、これらの右側ネジは、右導光板７２Ｒにおける前貫通穴７２Ｒｃ１及び後貫通穴７２Ｒｃ２に形成された貫通孔を貫通している。このため、右側ネジによって右サイドカバー７３Ｒ及び遮光板７１が締め付けられて固定されることにより、右サイドカバー７３Ｒと遮光板７１の間における右デザインシート７１Ｒと右導光板７２Ｒは、右サイドカバー７３Ｒと遮光板７１に挟み込まれて固定される。
【０１０５】
遮光板７１における後外枠部７１ｂの右側、前外枠部７１ｃの右側、右上外枠部７１ｆＲ、及び右下外枠部７１ｇＲは、いずれも遮光板本体７１ａの右側面から右側に突出している。また、右導光板７２Ｒの厚さは、後外枠部７１ｂの右側、前外枠部７１ｃの右側、右上外枠部７１ｆＲ、及び右下外枠部７１ｇＲにおける遮光板本体７１ａの右側面からの突出長さよりも短くされている。このため、右導光板７２Ｒの側面は、後外枠部７１ｂの右側、前外枠部７１ｃの右側、右上外枠部７１ｆＲ、及び右下外枠部７１ｇＲに囲まれた状態となっている。
【０１０６】
右導光板７２Ｒにおける上部に設けられた前側突出部７２Ｒｅ１及び後側突出部７２Ｒｅ２は、遮光板７１の右上外枠部７１ｆＲに設けられた上前切欠き部７１ｆＲ１及び上後切欠き部７１ｆＲ２にそれぞれ挿入されている。同様に、右デザインシート７１Ｒにおける上部に設けられたシート前側突出部７１Ｒｂ１及びシート後側突出部７１Ｒｂ２は、遮光板７１の右上外枠部７１ｆＲに設けられた上前切欠き部７１ｆＲ１及び上後切欠き部７１ｆＲ２にそれぞれ挿入されている。
【０１０７】
右導光板７２Ｒ及び右デザインシート７１Ｒは、遮光板７１の右側から遮光板７１に嵌め込まれて組み付けられる。その右側（外側）から、右導光板７２Ｒ及び右デザインシート７１Ｒを覆うようにして右サイドカバー７３Ｒが遮光板７１に組み付けられる。右サイドカバー７３Ｒにおける前突出部７３Ｒｃ５及び後突出部７３Ｒｃ６は、遮光板７１における上前切欠き部７１ｆＲ１及び上後切欠き部７１ｆＲ２にそれぞれ挿入されている。また、遮光板７１における中央突出部７１ｆＲ３は、右サイドカバー７３Ｒにおける中央切欠き部７３Ｒｃ４に挿入されている。このため、遮光板７１における右上外枠部７１ｆＲの上面と、右サイド上部７３Ｒｃの上面とは、略面一とされている。こうして、遮光板７１に右導光板７２Ｒ及び右デザインシート７１Ｒ、及び右サイドカバー７３Ｒが組み付けられた後、右側ネジによってこれらが締め付けられて固定される。また、遮光板７１における右上外枠部７１ｆＲの上面と、右サイド上部７３Ｒｃの上面の上方には、カバー部材６１における装飾パネル取付部６１ｃの取付上部片６１ｃｂが遮光板７１等とは離間して配置されている。
【０１０８】
右サイドカバー７３Ｒにおける右サイド下部７３Ｒｅの先端辺から延在して設けられた下側被覆部７３Ｒｇは、遮光板７１における配線ホルダ７１ｉや配線案内突起７１ｊの下端部よりも下方に位置している。このため、遮光板７１の右下外枠部７１ｇＲは、右サイドカバー７３Ｒの下側被覆部７３Ｒｇに覆われており、遮光板７１の右下外枠部７１ｇＲと右サイドカバー７３Ｒの下側被覆部７３Ｒｇとの間に、配線空間が形成されいる。この配線空間に配線ホルダ７１ｉや配線案内突起７１ｊが配置され、前側基板７６などに電気を供給するための配線が収容される。また、下側被覆部７３Ｒｇの後端部に形成された後方切欠き部７３Ｒｇ１の位置には、遮光板７１の配線保護部７１ｋが配置されている。このため、下側被覆部７３Ｒｇと配線保護部７１ｋとが当接しないようすることができる。また、右サイドカバー７３Ｒの下側被覆部７３Ｒｇの下方には、カバー部材６１における装飾パネル取付部６１ｃの取付下部片６１ｃｄが下側被覆部７３Ｒｇとは離間して配置されている。
【０１０９】
右デザインシート７１Ｒには、第１キャラクタＣＨ１が描かれており、左デザインシート７１Ｌには、第２キャラクタＣＨ２が描かれている。第１キャラクタＣＨ１は、右デザインシート７１Ｒにおける全面にわたって描かれている。第２キャラクタＣＨ２は、左デザインシート７１Ｌにおける前方に寄った位置に描かれている。装飾パネル７０の左側の後部は、筐体１ａと重なるため、左デザインシート７１Ｌの一部は、筐体１ａに隠されて視認できない範囲が生じるが、第２キャラクタＣＨ２の全部または一部は、筐体１ａに隠されて視認できない範囲を除いた範囲に描かれている。
【０１１０】
次に、図１５等を参照して右導光板７２Ｒと右デザインシート７１Ｒ、左導光板７２Ｌと左デザインシート７１Ｌの関係について説明する。
図１５（Ａ）は、右導光板と右デザインシートとの関係を示す分解斜視図、（Ｂ）は、左導光板と左デザインシートとの関係を示す分解斜視図である。図１５（Ｂ）に示すように、左導光板７２Ｌの右側面には、第２キャラクタＣＨ２の外側輪郭に沿って彫り込まれた溝である左強調部７２ＬＰが形成されている。一方、図１５（Ａ）に示すように、右導光板７２Ｒの左側面には、第１キャラクタＣＨ１の強調部は形成されていない。
【０１１１】
右導光板７２Ｒにおける右導光板本体７２Ｒａの右側面は、右光導入部７２Ｒｂ及び右前光導入部７２Ｒｄから右導光板７２Ｒに導入された光によって面発光で発光する発光面となっている。また、左導光板７２Ｌにおける左導光板本体７２Ｌａの左側面は、左光導入部７２Ｌｂから左導光板７２Ｌに導入された光によって面発光で発光する発光面となっている。右導光板７２Ｒには、前後から光が導入されるので、後からしか光が導入されない左導光板７２Ｌよりも光量が多くなる。
【０１１２】
また、右デザインシート７１Ｒは、右導光板７２Ｒの外側（右側）に配置されている。このため、右導光板７２Ｒが面発光した光は、右デザインシート７１Ｒを透過することによって、右デザインシート７１Ｒの第１キャラクタＣＨ１が照らされる。一方、左デザインシート７１Ｌは、左導光板７２Ｌの内側（右側）に配置されている。このため、左導光板７２Ｌが面発光した光は、遮光板７１に反射され、反射された光によって左デザインシート７１Ｌの第２キャラクタＣＨ２が照らされる。左導光板７２Ｌに形成された左強調部７２ＬＰは、第２キャラクタＣＨ２の左側（背面側）に形成されている。装飾パネル７０の右側では、右デザインシート７１Ｒが右導光板７２Ｒよりも外側に配置されていることから、右導光板７２Ｒに強調部を設けても強調度合が小さくなるが、強調部を設けるようにしてもよい。また、装飾パネル７０の右側で右デザインシート７１Ｒよりも外側に右導光板７２Ｒを配置して、右デザインシート７１Ｒに強調部を設けてもよいし、この場合でも強調部を設けないようにしてもよい。また、装飾パネル７０の左側においても同様に、左デザインシート７１Ｌを左導光板７２Ｌの外側に配置して強調部を設けたり設けなかったりしてもよい。
【０１１３】
次に、装飾パネル７０の後面側の構造について図３〜図９、図１６、１７等を参照して説明する。また、装飾パネル７０の後面側の構造とともに、右導光板７２Ｒ及び左導光板７２Ｌの後側の構造、並びに右導光板７２Ｒ及び左導光板７２Ｌの後側から導入される光について説明する。
【０１１４】
図１６は、装飾パネルの側面図、図１７（Ａ）は、図１６のＸ部分拡大図、（Ｂ）は、図１６のＹ部分拡大図である。図１６及び図１７（Ａ）に示すように、右導光板７２Ｒの右光導入部７２Ｒｂは、レンズカットされた形状であり、後側が狭く、前側が広がるテーパ形状をなしている。右光導入部７２Ｒｂの先端部は、上下方向中央が前側に突出する凸形状をなしている。言い換えると右光導入部７２Ｒｂの先端部の上下方向両側は、上下方向中央よりも後方に突出している。こうして、右光導入部７２Ｒｂの先端面は、上下方向上下端部から中央部に向かって傾斜して配置されている。このため、右光導入部７２Ｒｂから導入された光は、右導光板本体７２Ｒａ内の上下方向に広く拡散しやすくなっている。右光導入部７２Ｒｂは、他の形状でもよく、例えば、テーパ状に代えて円弧状などの曲線状などとしてもよい。曲線状であっても、右光導入部７２Ｒｂから導入された光は、右導光板本体７２Ｒａ内の上下方向に広く拡散しやすくなる。
【０１１５】
遮光板７１における右後側光導入支持部７１Ｒｂは、後端部から前後方向に延在し、前側では高さ方向に広がるように傾斜が付された形状をなしている。右導光板７２Ｒの右光導入部７２Ｒｂは、２つの右後側光導入支持部７１Ｒｂの間に配置されている。また、右光導入部７２Ｒｂにおけるテーパの傾斜部分と右後側光導入支持部７１Ｒｂの前側の傾斜部分とは、略平行となるように配置されている。右導光板７２Ｒにおける隣り合う右光導入部７２Ｒｂや後側基板７５における隣り合う右側ＬＥＤ７５Ｒは、いずれも右後側光導入支持部７１Ｒｂによって仕切られている。
【０１１６】
また、図６に示す左導光板７２Ｌの左光導入部７２Ｌｂは、右導光板７２Ｒの右光導入部７２Ｒｂと略同一の形状をなしており、図４に示す遮光板７１における左後側光導入支持部７１Ｌｂは、右後側光導入支持部７１Ｒｂと略同一の形状をなしている。左導光板７２Ｌにおける隣り合う左光導入部７２Ｌｂや後側基板７５における隣り合う左側ＬＥＤ７５Ｌは、いずれも左後側光導入支持部７１Ｌｂによって仕切られている。
【０１１７】
右導光板７２Ｒの右光導入部７２Ｒｂと右後側光導入支持部７１Ｒｂとの間、左導光板７２Ｌの左光導入部７２Ｌｂと左後側光導入支持部７１Ｌｂとの間は、それぞれ遊びとなる空間が形成されている。ただし、この遊びが無く右導光板７２Ｒの右光導入部７２Ｒｂと右後側光導入支持部７１Ｒｂとの間、左導光板７２Ｌの左光導入部７２Ｌｂと左後側光導入支持部７１Ｌｂとの間の両方または一方が密着していてもよい。また、複数の右導光板７２Ｒの右光導入部７２Ｒｂと右後側光導入支持部７１Ｒｂとの間、左導光板７２Ｌの左光導入部７２Ｌｂと左後側光導入支持部７１Ｌｂとの間で密着した状態と遊びがある状態とが混在していてもよい。なお、右後側光導入支持部７１Ｒｂ、左後側光導入支持部７１Ｌｂ、右光導入部７２Ｒｂ、左光導入部７２Ｌｂの形状は、他の形状であってもよい。また、これらの形状は、共通する形状であるが、個々に異なる形状であってもよい。
【０１１８】
遮光板７１の後側に配設された後側基板７５に設けられた左側ＬＥＤ７５Ｌは、いずれも前方に光を照射する。左側ＬＥＤ７５Ｌから照射された光は、左光導入部７２Ｌｂから左導光板７２Ｌ内に導入される。左導光板７２Ｌ内に導入された光は、左導光板７２Ｌの左側面から直接、または左導光板７２Ｌの右側に配置された遮光板７１の遮光板本体７１ａが反射体となり、遮光板本体７１ａに反射して、左導光板７２Ｌの左側面に導かれ、左導光板７２Ｌの左側面の全体は面発光する。こうして、左側ＬＥＤ７５Ｌは、装飾パネル７０の左側を照明する。同様に、右側ＬＥＤ７５Ｒは、いずれも前方に光を照射する。右側ＬＥＤ７５Ｒから照射された光は、右光導入部７２Ｒｂから右導光板７２Ｒ内に導入される。右導光板７２Ｒ内に導入された光は、右導光板７２Ｒの右側面から直接、または右導光板７２Ｒの左側に配置された遮光板７１の遮光板本体７１ａが反射体となり、遮光板本体７１ａに反射して、右導光板７２Ｒの右側面に導かれ、右導光板７２Ｒの右側面の全体は面発光する。こうして、右側ＬＥＤ７５Ｒは、装飾パネル７０の右側を照明する。
【０１１９】
遮光板７１における後外枠部７１ｂは、後支持部材７７にほぼ覆われている。遮光板７１における上方ネジ穴筒部７１ｂ１及び下方ネジ穴筒部７１ｂ２には、後側（遊技機側）から後ネジが固定される。この後ネジは、後支持部材７７に形成された開口を貫通する。この後ネジにより、遮光板７１は、後支持部材７７に取り付けられる。また、左サイドカバー７３Ｌにおける第１ネジ溝部材７３Ｌｎ１、第２ネジ溝部材７３Ｌｎ２、及び第３ネジ溝部材７３Ｌｎ３には、後側（遊技機側）から後ネジが固定される。この後ネジは、後支持部材７７に形成された開口を貫通する。この後ネジにより、左サイドカバー７３Ｌは、後支持部材７７に取り付けられる。
【０１２０】
後支持部材７７の下方には、配線用開口７７Ａが形成されている。遮光板７１の右下外枠部７１ｇＲと右サイドカバー７３Ｒの下側被覆部７３Ｒｇとの間に形成された配線空間に収容された配線や後側基板７５に接続される配線は、この配線用開口７７Ａを経て後支持部材７７の前側に導入される。また、後支持部材７７における右前側には、スリット部７７Ｂ（図１４参照）が形成されている。このスリットに右サイドカバー７３Ｒの右サイド後部７３Ｒｂが嵌め込まれることにより、右サイドカバー７３Ｒが後支持部材７７に対して位置決めされる。
【０１２１】
続いて、装飾パネル７０の前面側の構造について、図３〜図９、図１２等を参照して説明する。図３に示す遮光板７１の前側に配設された前側基板７６は、遮光板７１における前外枠部７１ｃに取り付けられている。
【０１２２】
さらに説明すると、前側基板７６における前側基板本体７６Ａは、前外枠部７１ｃの前面に沿って配置されている。前側基板７６の上端部は、前外枠部７１ｃの上部ネジ穴部材７１ｍが設けられた位置の下側に位置している。また、前側基板７６における第１基板側位置決め用切欠き部７６ｃｋ１及び第２基板側位置決め用切欠き部７６ｃｋ２に対して、前外枠部７１ｃに設けられた第１基板位置決め片７１ｃｋ１及び第２基板位置決め片７１ｃｋ２がそれぞれ嵌め込まれる。また、前側基板７６における第１基板側位置決め孔７６ｃｋ３及び第２基板位置決め孔７６ｃｋ４に対して、前外枠部７１ｃに設けられた第１基板位置決め突起７１ｃｋ３及び第２基板位置決め突起７１ｃｋ４がそれぞれ挿入される。また、前側基板本体７６Ａは、前外枠部７１ｃに設けられた第１爪部７１ｃｋ５及び第２爪部７１ｃｋ６によって保持される。このため、前外枠部７１ｃに対して、前側基板７６を正確に位置決めすることができるとともに確実に保持することができる。
【０１２３】
図１４に示すように、前側基板７６が固定された前外枠部７１ｃの前方は、右サイドカバー７３Ｒにおける前側被覆部７３Ｒｆによって覆われている。このため、前側基板７６における前面側を前側被覆部７３Ｒｆによって保護することができる。前外枠部７１ｃの上部に設けられた上部ネジ穴部材７１ｍと、左サイドカバー７３Ｌにおける前方突出片７３Ｌｉの上部に設けられた貫通孔７３Ｌｐがねじによって締め付けられ、前外枠部７１ｃと前方突出片７３Ｌｉとが固定されている前側被覆部７３Ｒｆにおける左側端面は、左サイドカバー７３Ｌにおける前方突出片７３Ｌｉの右側面と対向して当接している。このため、前側被覆部７３Ｒｆと前方突出片７３Ｌｉによって、前側基板７６が取り付けられた遮光板７１の前外枠部７１ｃが閉塞した状態で覆われて内部空間が形成されている。この内部空間に前側基板７６が収容されている。なお、前側被覆部７３Ｒｆと前方突出片７３Ｌｉが当接しない状態としてもよい。
【０１２４】
また、前側被覆部７３Ｒｆの後側（内側）の右側端部には、遮光板７１における右突出片７１ｃｂに設けられた上側小切欠き部７１ｃｂ１及び下側小切欠き部７１ｃｂ２に対応する位置に図示しない突起部が設けられている。この突起部が右突出片７１ｃｂに設けられた上側小切欠き部７１ｃｂ１及び下側小切欠き部７１ｃｂ２にはまり込んでいる。このため、右サイドカバー７３Ｒの前側被覆部７３Ｒｆと遮光板７１の右突出片７１ｃｂとの位置合わせを行うことができる。また、上側切欠き部７１ｃｂ３及び下側切欠き部７１ｃｂ４を介して前側基板７６に対する配線を行っている。このため、前側基板７６に対する配線を容易に行うことができる。
【０１２５】
前外枠部７１ｃに設けられた第１爪部７１ｃｋ５及び第２爪部７１ｃｋ６は、前外枠部７１ｃの右突出片７１ｃｂよりも前方に突出しているが、前側被覆部７３Ｒｆにおける第１爪部７１ｃｋ５及び第２爪部７１ｃｋ６に対応する高さ位置には、それぞれ上側逃部７３Ｒｉ１及び下側逃部７３Ｒｉ２が設けられている。この上側逃部７３Ｒｉ１及び下側逃部７３Ｒｉ２に第１爪部７１ｃｋ５及び第２爪部７１ｃｋ６がそれぞれ収容されている。このため、第１爪部７１ｃｋ５及び第２爪部７１ｃｋ６と前側被覆部７３Ｒｆとの干渉を抑制することができるので、装飾パネル７０全体を薄くすることができ、コンパクト化に寄与することができる。
【０１２６】
前側被覆部７３Ｒｆにおける内側面に形成された窓部７３Ｒｆ１に対応する高さ位置には、前側前向きＬＥＤ７６Ｆが配置されている。前側前向きＬＥＤ７６Ｆは、前向きに光を照射し、フロントカバー７８における装飾部７８Ｂを光らせている。このとき、前側前向きＬＥＤ７６Ｆの前側に薄肉の窓部７３Ｒｆ１が配置されているので、前側前向きＬＥＤ７６Ｆから照射された光によって、多くの光量をもって装飾部７８Ｂを光らせることができる。
【０１２７】
また、遮光板７１の右側に組み付けられた右導光板７２Ｒにおける右前光導入部７２Ｒｄは、遮光板７１の前外枠部７１ｃに設けられた投光部７１ｃｓに対応する位置に配置されている。このため、遮光板７１及び右導光板７２Ｒが組み合わされた状態を前面側から見ると、右前光導入部７２Ｒｄは、投光部７１ｃｓを介して視認できるようになっている。
【０１２８】
前側基板７６に設けられた前側後向きＬＥＤ７６Ｄは、投光部７１ｃｓに対応する位置に配置されている。また、前側後向きＬＥＤ７６Ｄからは、後向きに光が照射される。このため、前側後向きＬＥＤ７６Ｄから照射された光は、投光部７１ｃｓを通り、右前光導入部７２Ｒｄから右導光板７２Ｒに導入される。
【０１２９】
また、前側被覆部７３Ｒｆの前方には、カバー部材６１における装飾パネル取付部６１ｃの取付前部片６１ｃｃが前側被覆部７３Ｒｆとは離間して配置されている。ただし、その離間距離は、前側被覆部７３Ｒｆの厚さよりも薄くされており、取付前部片６１ｃｃと前側被覆部７３Ｒｆは近接した状態で配置されている。装飾パネル取付部６１ｃの取付前部片６１ｃｃが前側被覆部７３Ｒｆと密着していてもよい。
【０１３０】
取付前部片６１ｃｃにおける第１突出部６１ｃｃ１及び第２突出部６１ｃｃ２は、上側逃部７３Ｒｉ１及び下側逃部７３Ｒｉ２に対応する高さ位置に配置されている。このため、取付前部片６１ｃｃと前側被覆部７３Ｒｆが近接していても、前側被覆部７３Ｒｆにおける上側逃部７３Ｒｉ１及び下側逃部７３Ｒｉ２が取付前部片６１ｃｃと当接しないようにすることができる。第１凹部６１ｃｃ３及び第２凹部６１ｃｃ４には、フロントカバー７８を取り付けるためのネジの頭部が収容される。
【０１３１】
取付前部片６１ｃｃにおける上切欠き部６１ｃｃ５、中切欠き部６１ｃｃ６、及び下切欠き部６１ｃｃ７は、前側被覆部７３Ｒｆの右辺に設けられた第１カバー位置決め部７３Ｒｋ１、第２カバー位置決め部７３Ｒｋ２、及び第３カバー位置決め部７３Ｒｋ３に対応する位置に設けられている。上切欠き部６１ｃｃ５、中切欠き部６１ｃｃ６、及び下切欠き部６１ｃｃ７に第１カバー位置決め部７３Ｒｋ１、第２カバー位置決め部７３Ｒｋ２、及び第３カバー位置決め部７３Ｒｋ３がそれぞれ嵌め込まれることにより、装飾パネル取付部６１ｃが前側被覆部７３Ｒｆに位置決めされる。そのため、カバー部材６１と装飾パネル７０との位置決めを行うことができる。
【０１３２】
また、取付前部片６１ｃｃにおける上貫通孔６１ｃｃ８、中貫通孔ｃｃ９、及び下貫通孔６１ｃｃ１０は、前側被覆部７３Ｒｆに設けられた第１フロントカバー部材位置決め突起７３Ｒｊ１、第２フロントカバー部材位置決め突起７３Ｒｊ２、及び第３フロントカバー部材位置決め突起７３Ｒｊ３に対応する位置に設けられている。上貫通孔６１ｃｃ８、中貫通孔ｃｃ９、及び下貫通孔６１ｃｃ１０に第１フロントカバー部材位置決め突起７３Ｒｊ１、第２フロントカバー部材位置決め突起７３Ｒｊ２、及び第３フロントカバー部材位置決め突起７３Ｒｊ３に挿入されることにより、装飾パネル取付部６１ｃが前側被覆部７３Ｒｆに組み付けられる。
【０１３３】
フロントカバー７８及びアッパカバー７９は、組付けられた装飾パネル取付部６１ｃ及び装飾ユニット７０Ｘに取り付けられる。
【０１３４】
フロントカバー７８における外殻部７８Ａは、図１４に示すように、平断面が、後側が開口する略コ字形状をなしている。外殻部７８Ａは、図１２に示すように、上段部７８Ａ１、中段部７８Ａ２、及び下段部７８Ａ３を備えている。上段部７８Ａ１は、装飾パネル取付部６１ｃ及び装飾ユニット７０Ｘの前面側に取り付けられる部分であり、鉛直方向に対して、下方がやや後方に下がる方向に延在している。中段部７８Ａ２は、装飾パネル取付部６１ｃ及び装飾ユニット７０Ｘの下面側に取り付けられる部分であり、上段部７８Ａ１よりも後方に行くほど下がる傾斜が大きくなっている。下段部７８Ａ３は、カバー部材６１における装飾パネル下部取付部６１ｄに取り付けられる部分である。また、上段部７８Ａ１に装飾部７８Ｂが取り付けられている。
【０１３５】
装飾パネル取付部６１ｃ及び装飾ユニット７０Ｘの前方における左右の側辺には、段差が設けられている。この段差は、右側は、右サイドカバー７３Ｒの右サイド前部７３Ｒｄによるものであり、左側は、カバー部材６１の装飾パネル取付部６１ｃにおける取付前部片６１ｃｃの左側に設けられた図示しない段差によるものである。また、上段部７８Ａ１は、装飾パネル取付部６１ｃ及び装飾ユニット７０Ｘの前部を覆っている。
【０１３６】
前面扉１ｂには、図１に示すように、メダルを投入可能なメダル投入部４、メダルが払い出されるメダル払出口９、クレジットを用いて、その範囲内において遊技状態に応じて定められた規定数の賭数のうち最大の賭数を設定する際に操作されるＭＡＸＢＥＴスイッチ６、クレジットとして記憶されているメダル及び賭数の設定に用いたメダルを精算する際に操作される精算スイッチ１０、ゲームを開始する際に操作されるスタートスイッチ７、リール２Ｌ、２Ｃ、２Ｒの回転を各々停止する際に操作されるストップスイッチ８Ｌ、８Ｃ、８Ｒ、演出に用いられる演出用スイッチ５６が遊技者により操作可能にそれぞれ設けられている。メダル投入部４及び演出用スイッチ５６が設けられた高さ位置は、パネル引込部７０Ａの高さ位置に相当し、装飾パネル７０と下サイドパネル７０Ｂの間の高さ位置に相当する。パネル引込部７０Ａは、装飾パネル７０及び下サイドパネル７０Ｂよりも後方に引込んでいるため、遊技者がメダル投入部４にメダルを投入したり、演出用スイッチ５６を操作したりする場合に、装飾パネル７０、パネル引込部７０Ａ、下サイドパネル７０Ｂなどに遊技者の手がぶつかりにくくされている。したがって、遊技者の手にパネル等がぶつかって遊技者に不快感を与えるといった事態を発生させないようにしながら、筐体１ａ（液晶表示器５１）よりも突出する部材で装飾を施して遊技者の注目を高めることができる。
【０１３７】
また、前面扉１ｂには、図１に示すように、クレジットとして記憶されているメダル枚数が表示されるクレジット表示器１１、入賞の発生により払い出されたメダル枚数やエラー発生時にその内容を示すエラーコード、後述のナビ報知によるリールの停止順を識別可能な情報等が表示される遊技補助表示器１２、賭数が１設定されている旨を点灯により報知する１ＢＥＴＬＥＤ１４、賭数が２設定されている旨を点灯により報知する２ＢＥＴＬＥＤ１５、賭数が３設定されている旨を点灯により報知する３ＢＥＴＬＥＤ１６、メダルの投入が可能な状態を点灯により報知する投入要求ＬＥＤ１７、スタートスイッチ７の操作によるゲームのスタート操作が有効である旨を点灯により報知するスタート有効ＬＥＤ１８、ウェイト中である旨を点灯により報知するウェイト中ＬＥＤ１９、リプレイゲーム中である旨を点灯により報知するリプレイ中ＬＥＤ２０が設けられた遊技用表示部１３が設けられている。
【０１３８】
本実施例のスロットマシン１においてゲームを行う場合には、まず、メダルをメダル投入部４から投入するか、あるいはクレジットを使用して賭数を設定する。クレジットを使用するにはＭＡＸＢＥＴスイッチ６を操作すれば良い。遊技状態に応じて定められた規定数の賭数が設定されると、入賞ラインＬＮ（図１参照）が有効となり、スタートスイッチ７の操作が有効な状態、すなわち、ゲームが開始可能な状態となる。なお、遊技状態に対応する規定数のうち最大数を超えてメダルが投入された場合には、その分はクレジットに加算される。
【０１３９】
入賞ラインとは、各リール２Ｌ、２Ｃ、２Ｒの透視窓３に表示された図柄の組合せが入賞図柄の組合せであるかを判定するために設定されるラインである。本実施例では、図１に示すように、リール２Ｌの中段、リール２Ｃの中段、リール２Ｒの中段、すなわち中段に水平方向に並んだ図柄に跨って設定された入賞ラインＬＮのみが入賞ラインとして定められている。なお、本実施例では、１本の入賞ラインのみを適用しているが、複数の入賞ラインを適用しても良い。また、本実施例では、入賞ラインＬＮに入賞を構成する図柄の組合せが揃ったことを認識しやすくするために、入賞ラインＬＮとは別に、無効ラインＬＭ１〜４を設定している。
【０１４０】
ゲームが開始可能な状態でスタートスイッチ７を操作すると、各リール２Ｌ、２Ｃ、２Ｒが回転し、各リール２Ｌ、２Ｃ、２Ｒの図柄が連続的に変動する。この状態でいずれかのストップスイッチ８Ｌ、８Ｃ、８Ｒを操作すると、対応するリール２Ｌ、２Ｃ、２Ｒの回転が停止し、透視窓３に表示結果が導出表示される。
【０１４１】
そして全てのリール２Ｌ、２Ｃ、２Ｒが停止されることで１ゲームが終了し、入賞ラインＬＮ上に予め定められた図柄の組合せ（以下、役ともいう）が各リール２Ｌ、２Ｃ、２Ｒの表示結果として停止した場合には入賞が発生し、その入賞に応じて定められた枚数のメダルが遊技者に対して付与され、クレジットに加算される。また、クレジットが上限数（本実施例では５０）に達した場合には、メダルが直接メダル払出口９（図１参照）から払い出されるようになっている。また、入賞ラインＬＮ上に、遊技状態の移行を伴う図柄の組合せが各リール２Ｌ、２Ｃ、２Ｒの表示結果として停止した場合には図柄の組合せに応じた遊技状態に移行するようになっている。
【０１４２】
以上の構成を有する本実施形態に係るスロットマシン１では、装飾パネル７０は、筐体１ａの側辺に沿って液晶表示器５１や筐体１ａの一部から遊技者側に突出するように設けられている。この装飾パネル７０の外側に位置する右側面に右デザインシート７１Ｒを配置し、右導光板７２Ｒによって右デザインシート７１Ｒに描かれた第１キャラクタＣＨ１を照らすことにより、スロットマシン１の装飾効果を高めることができる。特に、スロットマシン１の外側が装飾されることにより、所望の装飾効果を発揮することができる。したがって、スロットマシン１が設置される遊技機島の外側から見てもスロットマシン１を目立たせることができる。
【０１４３】
また、装飾パネル７０を照らすとしても、装飾パネル７０を明るくするためには、ＬＥＤ等の照明装置（照射手段）をたくさん設ける必要が生じ、その結果、装飾パネル７０の大型化を招いてしまう懸念がある。この点、スロットマシン１における装飾パネル７０では、外側に配置される右導光板７２Ｒには、後側から右側ＬＥＤ７５Ｒ、前側から前側後向きＬＥＤ７６Ｂによって光を照射し、内側に配置された左導光板７２Ｌに対しては、後側の左側ＬＥＤ７５Ｌのみによって光を照射している。したがって、照明を明るくして大いにアピールを行いたいスロットマシン１の外側について、光量を大きくし、アピールが少なくてもよい内側については、光量をあまり大きくせずに済ませることができる。その結果、ＬＥＤの使用数などを抑制できるので、光量を大きくしながらも、装飾パネル７０をコンパクトにまとめることができ、遊技者に与える圧迫感を小さくすることがでる。よって、コンパクトにして遊技者への圧迫感を低減しつつ装飾効果を高めることができる。
【０１４４】
また、後側及び前側からＬＥＤによる照射が行なわれる導光板は、スロットマシン１の外側に配置された右導光板７２Ｒである。このため、周囲の遊技客へのアピールを増すことができるとともに、遊技者側を向く面の光量が多くなって遊技の妨げになることを抑制できる。また、後側及び前側からＬＥＤによる照射が行なわれる導光板は、スロットマシン１の内側に配置された左導光板７２Ｌであってもよい。この場合、スロットマシン１を遊技する遊技者の視界に入りやすい装飾パネル７０の左側に配置された左導光板７２Ｌが明るく照らされるので、周囲の遊技客へのアピールを増すことができるとともに、遊技機本体の外方向を向く面の光量が多くなって周囲の遊技者、例えば隣席の遊技者の遊技の妨げになることを抑制できる。
【０１４５】
なお、上記の実施形態では、装飾パネル７０がスロットマシン１の右側に設けられているので、装飾パネル７０の右側が外側、左側が内側となっている。これに対して、装飾パネルがスロットマシンの左側に設けられる場合には、装飾パネルの左側が外側、右側が内側となる。
【０１４６】
また、スロットマシン１における装飾パネル７０では、左側に配置された左導光板７２Ｌに左強調部７２ＬＰが設けられおり、第２キャラクタＣＨ２は、左強調部７２ＬＰにおける左導光板７２Ｌから照射された光で強調される。このため、光量が少ない左導光板７２Ｌから照射された光で照らされる第２キャラクタＣＨ２についても、装飾効果を高めることができる。
【０１４７】
また、右導光板７２Ｒの後側に配置された右側ＬＥＤ７５Ｒ及び前側に配置された前側後向きＬＥＤ７６Ｂは、同種類のＬＥＤである。このため、右導光板７２Ｒの発光態様に村ができにくくなり、装飾効果を高めることができる。なお、同種類のＬＥＤとは、いわゆるスペックが同一のＬＥＤであるが、例えば色のみが同一のＬＥＤであったり、色や光量が同一のＬＥＤであったりしてもよい。
【０１４８】
また、右側ＬＥＤ７５Ｒ及び左側ＬＥＤ７５Ｌは、いずれも複数設けられており、これらの複数の右側ＬＥＤ７５Ｒ及び左側ＬＥＤ７５Ｌは、いずれも後側基板７５の基板本体７５Ａに搭載されている。このため、複数のＬＥＤを配列する際の設置作業の手間を軽減できるとともに、配置の調整の手間も軽減でき、複数のＬＥＤの配列を容易に行うことができる。
【０１４９】
また、複数の右側ＬＥＤ７５Ｒ及び左側ＬＥＤ７５Ｌは、互いに千鳥に配置されている。このため、隣り合う右側ＬＥＤ７５Ｒ同士の間に左側ＬＥＤ７５Ｌを挟み、逆に隣り合う左側ＬＥＤ７５Ｌ同士の間に右側ＬＥＤ７５Ｒを挟んで配置することができる。したがって、複数のＬＥＤを基板に搭載する際の省スペース化を図ることができる。
【０１５０】
また、右側ＬＥＤ７５Ｒに向かい合う右導光板７２Ｒの右光導入部７２Ｒｂは、レンズカットされ、後側が狭く、前側が広がるテーパ形状であり、先端部は、上下方向中央が前側に突出する凸形状をなしている。また、左側ＬＥＤ７５Ｌに向かい合う左導光板７２Ｌの左光導入部７２Ｌｂも同様の形状なしている。また、前側後向きＬＥＤ７６Ｂに向かい合う右前光導入部７２Ｒｄは、右光導入部７２Ｒｂに対して前後反対にした形状をなしている。このため、第１導光板及び第２導光板内に導入された光を、第１導光板及び第２導光板内で広く拡散しやすくすることができる。
【０１５１】
また、右側ＬＥＤ７５Ｒは、遮光板７１の後外枠部７１ｂに設けられた右後側光導入支持部７１Ｒｂで仕切られている。同様に、左側ＬＥＤ７５Ｌは、遮光板７１の後外枠部７１ｂに設けられた左後側光導入支持部７１Ｌｂで仕切られている。このため、右側ＬＥＤ７５Ｒや左側ＬＥＤ７５Ｌから照射された光を右導光板７２Ｒや左導光板７２Ｌに確実に導入させることができる。
【０１５２】
また、装飾パネル７０の左側に配置される左側ＬＥＤ７５Ｌは、スロットマシン１の遊技の進行に伴って実行される演出に応じた点灯点滅制御が実行される。このため、スロットマシン１の遊技の進行に合わせて演出が実行されるので、興趣の向上に寄与することができる。また、右側ＬＥＤ７５ＲはフルカラーＬＥＤであるので、華美な演出を実行することができるので、さらに興趣の向上に寄与することができる。
【０１５３】
なお、上記実施形態に係る装飾パネル７０における左導光板７２Ｌ及び右導光板７２Ｒは、いずれも１枚の導光板で構成されているが、装飾パネルは、複数、例えば３枚の導光板で構成されていてもよい。この場合、例えば導光板を上から複数枚に分割し、それぞれを遮光板やサイドカバーなどで保持すればよい。分割される導光板は、右導光板及び左導光板の一方でもよいし両方でもよい。また、導光板を分割する際の分割枚数は２枚または４枚以上であってもよいし、分割する方向は前後方向のみならず、上下方向に分割してもよい。
【０１５４】
また、左導光板７２Ｌ及び右導光板７２Ｒの一方または両方は、後辺部と前辺部とが対向している略矩形状以外の形状であってもよい。例えば、多角形であって、さらに画数の多い形状であってもよいし、対向する辺が無い三角形状などであってもよい。また、確変が直線状ではなく曲線状であってもよいし、直線と曲線とが組み合された形状であってもよい。また、左導光板７２Ｌには後側から、右導光板７２Ｒには後側及び前側から光を照射しているが、これ以外の位置から光を照射してもよい。例えば、上側や下側などの一方向から光を照射してもよいし、上側と後側など、隣り合うことがない２方向から光を照射してもよい。また、３方向や４方向から光を照射してもよいし、５角形以上の多角形であれば、５つ以上の辺の一部または全部から光照射してもよい。また、曲線状の辺である場合には、この曲線を囲むような方向から光を照射してもよい。また、照射手段は、ＬＥＤ以外の照明装置であってもよく、例えば、蛍光管やＥＬ管、白熱灯などであってもよい。また、右光導入部７２Ｒｂ及び左光導入部７２Ｌｂの一方または両方は、レンズカットされていない形状であってもよい。また、複数の右側ＬＥＤ７５Ｒ及び左側ＬＥＤ７５Ｌは、千鳥配置以外の配置であってもく、例えば右側ＬＥＤ７５Ｒ及び左側ＬＥＤ７５Ｌが左右に並設された配置であってもよい。また、左導光板７２Ｌの左光導入部７２Ｌｂや右導光板７２Ｒの右光導入部７２Ｒｂが設けられていなくてもよい。
【０１５５】
また、上記実施形態に係る装飾パネル７０における右デザインシート７１Ｒ及び左デザインシート７１Ｌには、それぞれ装飾部として第１キャラクタＣＨ１及び第２キャラクタＣＨ２が描かれているが、装飾部は、キャラクタ以外の者でもよい。例えば、文字や記号でもよいし、風景や構造物、乗り物などでもよい。また、装飾部は、平面的なものではなく、立体的なもの、例えば平面が立体的に曲げられた厚みが一定の立体や、厚みが変動するような立体などでもよい。
【０１５６】
［第２実施形態］
次に、第２実施形態として、装飾パネルをパチンコ遊技機に取り付けた例について説明する。図１８は、本発明が適用された実施形態のパチンコ機の正面図、図１９は、図１８のパチンコ機の斜視図である。なお、以下の説明において、図１８の手前側をパチンコ遊技機１００の前側、奥側を後側として説明する。また、本実施形態におけるパチンコ遊技機１００の前面とは、遊技者側からパチンコ遊技機１００を見たときに該遊技者と対向する対向面である。
パチンコ遊技機１００は、図１８、図１９に示すように、縦長の方形枠状に形成された外枠１１０と、外枠１１０に開閉可能に取り付けられた前面枠１０１と、で主に構成されている。前面枠１０１の前面には、ガラス扉枠１０２及び下扉枠１０３がそれぞれ左側辺を中心に開閉可能に設けられている。
【０１５７】
下扉枠１０３の下部表面には上皿１１１がある。上皿１１１の下部には、上皿１１１に収容しきれない遊技球を貯留する下皿１１２や、打球を発射する打球操作ハンドル（操作ノブ）１０５が設けられている。上皿１１１の下方には、後述する操作レバー６００が揺動自在に軸支されるとともに、その上方位置には、遊技者が押下操作などにより所定の指示操作を可能なプッシュボタン５１６が設けられている。プッシュボタン５１６は、遊技者からの押下操作などによる所定の指示操作を、機械的、電気的、あるいは、電磁的に、検出できるように構成されていればよい。プッシュボタン５１６の設置位置における上皿の本体内部などには、プッシュボタン５１６に対してなされた遊技者の操作行為を検知するボタンスイッチが設けられていればよい。
【０１５８】
ガラス扉枠１０２の背面には、遊技盤１０６が前面枠１０１に対して着脱可能に取り付けられている。なお、遊技盤１０６は、それを構成する板状体と、その板状体に取り付けられた種々の部品とを含む構造体である。また、遊技盤１０６の前面には遊技領域１０７が形成されている。
【０１５９】
遊技領域１０７の中央付近には、それぞれが演出用の飾り図柄（演出図柄）を可変表示する複数の可変表示部を含む演出表示装置（飾り図柄表示装置）１０９が設けられている。演出表示装置１０９には、例えば「左」、「中」、「右」の３つの可変表示部（図柄表示エリア）がある。演出表示装置１０９は、第１特別図柄表示器１０８ａまたは第２特別図柄表示器１０８ｂによる特別図柄の可変表示期間中に、装飾用（演出用）の図柄としての演出図柄の可変表示を行う。演出図柄の可変表示を行う演出表示装置１０９は、演出制御基板に搭載されている演出制御用マイクロコンピュータによって制御される。
【０１６０】
遊技盤１０６における右側下部位置には、第１識別情報としての第１特別図柄を可変表示する第１特別図柄表示器１０８ａが設けられている。本実施形態では、第１特別図柄表示器１０８ａは、０〜９の数字を可変表示可能な簡易で小型の表示器（例えば７セグメントＬＥＤ）で実現されている。すなわち、第１特別図柄表示器１０８ａは、０〜９の数字（または、記号）を可変表示するように構成されている。また、第１特別図柄表示器１０８ａの上方位置には、第２識別情報としての第２特別図柄を可変表示する第２特別図柄表示器１０８ｂが設けられている。第２特別図柄表示器１０８ｂは、０〜９の数字を可変表示可能な簡易で小型の表示器（例えば７セグメントＬＥＤ）で実現されている。すなわち、第２特別図柄表示器１０８ｂは、０〜９の数字（または、記号）を可変表示するように構成されている。
【０１６１】
本実施形態では、第１特別図柄の種類と第２特別図柄の種類とは同じ（例えば、ともに０〜９の数字）であるが、種類が異なっていてもよい。また、第１特別図柄表示器１０８ａ及び第２特別図柄表示器１０８ｂは、それぞれ、例えば７セグメントＬＥＤ等を用いて０〜９の数字を可変表示するように構成されていてもよい。
【０１６２】
演出表示装置１０９の下方には、第１始動入賞口１１３を有する入賞装置が設けられている。第１始動入賞口１１３を有する入賞装置の下側には、遊技球が入賞可能な第２始動入賞口１１４を有する可変入賞球装置１１５が設けられている。可変入賞球装置１１５が開状態になることによって、遊技球が第２始動入賞口１１４に入賞可能になり（始動入賞し易くなり）、遊技者にとって有利な状態になる。可変入賞球装置１１５が開状態になっている状態では、第１始動入賞口１１３よりも、第２始動入賞口１１４に遊技球が入賞しやすい。また、可変入賞球装置１１５が閉状態になっている状態では、遊技球は第２始動入賞口１１４に入賞しない。
【０１６３】
また、可変入賞球装置１１５の下方には、特別可変入賞球装置１２０が設けられている。特別可変入賞球装置１２０は大入賞口扉を備え、第１特別図柄表示器１０８ａに特定表示結果（大当り図柄）が導出表示されたとき、及び第２特別図柄表示器１０８ｂに特定表示結果（大当り図柄）が導出表示されたときに生起する特定遊技状態（大当り遊技状態）において大入賞口扉が開放状態に制御されることによって、入賞領域となる大入賞口が開放状態になる。
【０１６４】
大入賞口への入賞によって遊技球が検出されたことに基づき、所定個数（例えば１５個）の遊技球が賞球として払い出される。こうして、特別可変入賞球装置１２０において開放状態となった大入賞口を遊技球が通過（進入）したときには、例えば第１始動入賞口１１３や第２始動入賞口１１４といった、他の入賞口を遊技球が通過（進入）したときよりも多くの賞球が払い出される。したがって、特別可変入賞球装置１２０において大入賞口が開放状態となれば、遊技者にとって有利な第１状態となる。その一方で、特別可変入賞球装置１２０において大入賞口が閉鎖状態となれば、大入賞口に遊技球を通過（進入）させて賞球を得ることができないため、遊技者にとって不利な第２状態となる。また、左右の上部には、スピーカ１２７が設けられている。
【０１６５】
このようなパチンコ遊技機１００における前面枠１０１における右側部に、装飾パネル７００が取り付けられていてもよい。この装飾パネル７００は、例えば第１実施形態で示した装飾パネル７０と同様、遮光板と左右の導光板と左右のデザインシートなどを有していればよい。
【０１６６】
以上、本発明の実施例を図面により説明してきたが、本発明はこの実施例に限定されるものではない。本発明は、上記の実施例に限られず、種々の変形、応用が可能である。
【０１６７】
［遊技機について］
上記の実施例では、メダル並びにクレジットを用いて賭数を設定するスロットマシン及びパチンコ遊技機を例に挙げて説明したが、これに限定されることなく、例えば、パチンコ遊技機で用いられている遊技球を用いて賭数を設定するスロットマシンや、クレジットのみを使用して賭数を設定する完全クレジット式のスロットマシンに上記の実施の形態で示した構成を適用して、請求項に係る発明を実現することが可能である。遊技球を遊技媒体として用いる場合は、例えば、メダル１枚分を遊技球５個分に対応させた場合に、上記の実施の形態で賭数として３を設定する場合は、１５個の遊技球を用いて賭数を設定するものに相当する。
【０１６８】
また、本発明の遊技機は、メダル及び遊技球などの複数種類の遊技用価値のうちのいずれか１種類のみを用いるものに限定されるものでなく、例えばメダル及び遊技球などの複数種類の遊技用価値を併用できるものであってもよい。すなわち、メダル及び遊技球などの複数種類の遊技用価値のいずれを用いても賭数を設定してゲームを行うことが可能であり、かつ入賞の発生によってメダル及び遊技球などの複数種類の遊技用価値のいずれをも払い出し得る遊技機も本発明の遊技機に含まれるものである。
【０１６９】
また、本実施の形態では、３つのリール２Ｌ、２Ｃ、２Ｒを有する可変表示装置を備え、すべてのリールが停止した時点で１ゲームが終了し、３つのリールに導出された表示結果の組合せに応じて入賞が発生するスロットマシンについて説明した。しかし、各々が識別可能な複数種類の識別情報を変動表示可能な可変表示装置に表示結果が導出されることにより１ゲームが終了し、該可変表示装置に導出された表示結果に応じて入賞が発生可能とされたスロットマシンであれば、３つのリールを有する可変表示装置を備えるものに限らず、１のリールしか有しないものや、３以外の複数のリールを有する可変表示装置を備えるスロットマシンであってもよい。また、本実施の形態では、リール２Ｌ、２Ｃ、２Ｒは縦方向に回転するリールであるが、リール２Ｌ、２Ｃ、２Ｒは横方向や斜め方向など、どの方向に回転するリールであってもよい。
【０１７０】
また、本実施の形態に係るスロットマシン１は、各々が識別可能な複数種類の識別情報（図柄）を変動表示可能な複数の可変表示領域（透視窓３）のそれぞれに表示結果を導出させることが可能な可変表示装置を備え、遊技用価値（メダル、クレジット）を用いて１ゲームに対して所定数の賭数を設定することによりゲームが開始可能となるとともに、複数の可変表示領域のすべてに表示結果が導出されることにより１ゲームが終了し、１ゲームの結果として複数の可変表示領域のそれぞれに導出された表示結果の組合せに応じて入賞が発生可能とされたスロットマシンであってもよい。
【０１７１】
また、本実施の形態として、入賞の発生に応じて遊技媒体を遊技者の手元に払い出すスロットマシンを説明したが、遊技媒体が封入され、入賞の発生に応じて遊技媒体を遊技者の手元に払い出すことなく遊技点（得点）を加算する封入式のスロットマシンを採用してもよい。基板とドラムとが流通可能で、筐体が共通なもので基板のみあるいは基板とドラムとを遊技機と称する。
【０１７２】
なお、今回開示された実施の形態はすべての点で例示であって制限的なものではないと考えられるべきである。本発明の範囲は上記した説明ではなく特許請求の範囲によって示され、特許請求の範囲と均等の意味及び範囲内でのすべての変更が含まれることが意図される。
【０１７３】
［雀球、アレパチなどの遊技機について］
装飾パネル７０は、雀球、アレパチなどの遊技機に適用してもよい。雀球、アレパチなどの遊技機とは、例えば、装飾パネル７０が、雀球遊技機の扉枠の右上側に取り付けられるものである。このような雀球、アレパチなどの遊技機においては、装飾パネル７０が扉枠に取り付けられることで、より装飾性を高くできる。
【０１７４】
次に、前述した実施の形態により得られる主な効果を説明する。
（１）本発明の遊技機は、遊技が可能な遊技機（例えば、スロットマシン１、パチンコ遊技機１００等）であって、
遊技機本体（例えば、筐体１ａ、前面枠１０１等）の側縁に沿って遊技者側に突出するように設けられ、両面に装飾が施された装飾パネル（例えば、筐体１ａから突出して設けられた装飾パネル７０等）を備え、
前記装飾パネルは、
一面側（例えば、右面側等）と他面側（例えば、左面側等）との間における光の透過を抑制する遮光板（例えば、遮光板７１の遮光板本体７１ａ等）と、
光を照射する照射手段（例えば、左側ＬＥＤ７５Ｌ、右側ＬＥＤ７５Ｒ、前側後向きＬＥＤ７６Ｂ等）と、
前記遮光板の一面側に配置され、前記照射手段から照射された光を導く第１導光板（例えば、左導光板７２Ｌ等）と、
前記遮光板の他面側に配置され、前記照射手段から照射された光を導く第２導光板（例えば、右導光板７２Ｒ等）と、
前記第１導光板によって導かれた光により照らされる第１装飾部（例えば、左デザインシート７１Ｌの第２キャラクタＣＨ２等）と、
前記第２導光板によって導かれた光により照らされる第２装飾部（例えば、右デザインシート７１Ｒの第１キャラクタＣＨ１等）と、を含み、
前記照射手段は、
前記第１導光板に光を照射する第１照射手段（例えば、左側ＬＥＤ７５Ｌ等）と、
前記第２導光板に光を照射する第２照射手段（例えば、右側ＬＥＤ７５Ｒ、前側後向きＬＥＤ７６Ｂ等）と、を有し
前記第１照射手段は、前記第１導光板の一辺側（例えば、左導光板７２Ｌの後側等）から光を照射し、
前記第２照射手段は、前記第２導光板の一辺側（例えば、右導光板７２Ｒの後側等）及び該一辺側と異なる他辺側（例えば、右導光板７２Ｒの前側等）から光を照射することを特徴とする。
【０１７５】
このような構成によれば、コンパクトにして遊技者への圧迫感を低減しつつ装飾効果を高めることができる。
【０１７６】
（２）上記（１）に記載の遊技機において、前記第２導光板は、前記遊技機本体の外側（例えば、装飾パネル７０が筐体１ａまたは前面枠１０１の右側に設けられている場合の右側等）を向く面に配置されていてもよい。
【０１７７】
このような構成によれば、周囲の遊技客へのアピールを増すことができるとともに、遊技者側を向く面の光量が多くなって遊技の妨げになることを抑制できる。
【０１７８】
（３）上記（１）または（２）の遊技機において、前記第２導光板は、遊技者側を向く面（例えば、装飾パネル７０が筐体１ａまたは前面枠１０１の右側に設けられている場合の左側等）に配置されていてもよい。
【０１７９】
このような構成によれば、周囲の遊技客へのアピールを増すことができるとともに、遊技機本体の外方向を向く面の光量が多くなって周囲の遊技者、例えば隣席の遊技者の遊技の妨げになることを抑制できる。
【０１８０】
（４）上記（１）〜（３）のいずれかの遊技機において、前記第１導光板及び前記第２導光板の少なくとも一方には、前記第１照射手段から照射された光により強調される強調パターン（例えば、左導光板７２Ｌに設けられた左強調部７２ＬＰ等）が形成されていてもよい。
【０１８１】
このような構成によれば、光量が少ない第１導光板及び第２導光板の少なくとも一方についての装飾効果を高めることができる。
【０１８２】
（５）上記（１）〜（４）のいずれかの遊技機において、前記第２導光板の形状は、前記第２導光板の一辺側と前記第２導光板の他辺側とが対向する位置に配置される形状（例えば、後辺部と前辺部とが対向している略矩形状等）とされていてもよい。
【０１８３】
このような構成によれば、第２導光板の発光態様にムラができにくくなり、装飾効果を高めることができる。
【０１８４】
（６）上記（１）〜（５）のいずれかの遊技機において、前記第２照射手段は、前記第２導光板の一辺側及び前記他面側から、同種類の発光体（例えば、右側ＬＥＤ７５Ｒ、前側後向きＬＥＤ７６Ｂが同種類のＬＥＤ等）が発光した光を照射する構成とされていてもよい。
【０１８５】
このような構成によれば、第２導光板の発光態様にムラができにくくなり、装飾効果を高めることができる。
【０１８６】
（７）上記（１）〜（６）のいずれかの遊技機において、前記照射手段は、それぞれ複数のＬＥＤ（例えば複数の左側ＬＥＤ７５Ｌ、右側ＬＥＤ７５Ｒ、等）を備えて構成されており、前記複数のＬＥＤは、同一の基板に搭載され（例えば、複数の左側ＬＥＤ７５Ｌ及び複数の右側ＬＥＤ７５Ｒは、後側基板７５の基板本体７５Ａに搭載され等）ていてもよい。
【０１８７】
このような構成によれば、複数のＬＥＤの配列を容易に行うことができる。
【０１８８】
（８）上記（１）〜（７）のいずれかの遊技機において、前記基板に搭載された複数のＬＥＤは、千鳥配置されて（例えば、複数の左側ＬＥＤ７５Ｌと右側ＬＥＤ７５Ｒとは、千鳥配置されている等）いてもよい。
【０１８９】
このような構成によれば、複数のＬＥＤを基板に搭載する際の省スペース化を図ることができる。
【０１９０】
（９）上記（１）〜（８）のいずれかの遊技機において、前記照射手段は複数の発光部を備えて構成されており、前記複数の発光部に対応する箇所がレンズカット（例えば、後側が狭く、前側が広がるテーパ形状であり、先端部は、上下方向中央が前側に突出する凸形状等）されていてもよい。
【０１９１】
このような構成によれば、第１導光板及び第２導光板内に導入された光を広く拡散しやすくできる。
【０１９２】
（１０）上記（１）〜（９）のいずれかの遊技機において、前記照射手段は複数の発光部を備えて構成されており、前記複数の発光部を区切る区切り部（例えば、左導光板７２Ｌの左光導入部７２Ｌｂ、右導光板７２Ｒの右光導入部７２Ｒｂ等）が形成されていてもよい。
【０１９３】
このような構成によれば、照射手段から照射された光を第１導光板及び第２導光板に確実に導入させることができる。
【０１９４】
（１１）上記（１）〜（１０）のいずれかの遊技機において、前記一面は、前記遊技機本体の外方向を向く面（例えば、装飾パネル７０が筐体１ａまたは前面枠１０１の右側に設けられている場合の右側面等）、前記他面は、遊技者側を向く面（例えば、装飾パネル７０が筐体１ａまたは前面枠１０１の右側に設けられている場合の左側面等）であり、前記遊技機本体で実行される遊技の状態に応じて、前記第２導光板の発光態様を変化させる（例えば、スロットマシン１の遊技の進行に伴って実行される演出に応じた点灯点滅制御が実行される等）ものでもよい。
【０１９５】
このような構成によれば、興趣の向上に寄与することができる。
【符号の説明】
【０１９６】
１  スロットマシン
２Ｌ、２Ｃ、２Ｒ  リール
６  ＭＡＸＢＥＴスイッチ
７  スタートスイッチ
８Ｌ、８Ｃ、８Ｒ  ストップスイッチ
５１  液晶表示器
６１  カバー部材
７０  装飾パネル
７１  遮光板
７１Ｌ  左デザインシート
７１Ｒ  右デザインシート
７２Ｌ  左導光板
７２Ｒ  右導光板
７３Ｌ  左サイドカバー
７３Ｒ  右サイドカバー
７５Ｌ  左側ＬＥＤ
７５Ｒ  右側ＬＥＤ
７６Ｂ  前側後向きＬＥＤ
【図１】
2018047174.tif 000003
【図２】
2018047174.tif 000004
【図３】
2018047174.tif 000005
【図４】
2018047174.tif 000006
【図５】
2018047174.tif 000007
【図６】
2018047174.tif 000008
【図７】
2018047174.tif 000009
【図８】
2018047174.tif 000010
【図９】
2018047174.tif 000011
【図１０】
2018047174.tif 000012
【図１１】
2018047174.tif 000013
【図１２】
2018047174.tif 000014
【図１３】
2018047174.tif 000015
【図１４】
2018047174.tif 000016
【図１５】
2018047174.tif 000017
【図１６】
2018047174.tif 000018
【図１７】
2018047174.tif 000019
【図１８】
2018047174.tif 000020
【図１９】
2018047174.tif 000021